(57)【要約】      （修正有）【課題】共同で業務を行う作業者の現在位置および業務進捗度を容易に知ることができる知識共有システムを提供する。【解決手段】知識共有システム１０は、サーバ１２を含み、サーバ１２はモニタ装置などの検出結果に基づいて、各看護師の看護業務の進捗度を検出する。看護師用端末１６は、複数の看護師と共同で遂行する共同看護業務の進捗度を表示する操作が行われると、サーバ１２から当該共同看護業務の進捗度の情報を受けて、当該共同看護業務に関わる複数の看護師の各々の現在位置および各看護師の当該共同看護業務における看護業務の進捗度を、人型のアイコンおよび図形を用いてＬＣＤに表示する。【選択図】図１
2009230535.tif 000002
【特許請求の範囲】
【請求項１】
特定の業務を共同して行う複数の作業者間で知識を共有する知識共有システムであって、
前記複数の作業者のそれぞれの現在位置を検出する現在位置検出手段、
前記複数の作業者のそれぞれの業務の進捗度を検出する進捗度検出手段、
前記特定の業務を行う場所についての地図画像を表示装置に表示する地図画像表示手段、
前記地図画像表示手段によって表示された地図画像上に、前記現在位置検出手段によって検出された複数の作業者のそれぞれの現在位置に対応して、当該複数の作業者のそれぞれを示すキャラクタ画像を表示するキャラクタ画像表示手段、
前記キャラクタ画像表示手段によって表示されたキャラクタ画像の表示位置を各頂点とする図形を前記地図画像上に描画して表示する図形描画表示手段、および
前記進捗度検出によって検出された複数の作業者のそれぞれの業務の進捗度に応じて、前記図形描画手段によって描画された図形に視覚的情報を付加する視覚的情報付加手段を備える、知識共有システム。
【請求項２】
サーバと作業者が携帯する通信端末とを備え、特定の業務を共同して行う複数の作業者間で知識を共有する知識共有システムであって、
前記サーバは、
前記複数の作業者のそれぞれの現在位置を検出する現在位置検出手段、
前記複数の作業者のそれぞれの業務の進捗度を検出する進捗度検出手段、および
前記現在位置検出手段によって検出された前記複数の作業者のそれぞれの現在位置についての現在位置情報と、前記進捗度検出手段によって検出された前記複数の作業者のそれぞれの業務の進捗度についての進捗度情報とを前記通信端末に送信する送信手段を備え、
前記通信端末は、
前記送信手段によって送信された現在位置情報と進捗度情報とを受信する受信手段、
前記特定の業務を行う場所についての地図画像を表示装置に表示する地図画像表示手段、
前記地図画像表示手段によって表示された地図画像上に、前記受信手段によって受信された現在位置情報に基づいて、当該複数の作業者のそれぞれを示すキャラクタ画像を表示するキャラクタ画像表示手段、
前記キャラクタ画像表示手段によって表示されたキャラクタ画像の表示位置を各頂点とする図形を前記地図画像上に描画して表示する図形描画表示手段、および
前記受信手段によって受信された進捗度情報に基づいて、前記図形描画手段によって描画された図形に視覚的情報を付加する視覚的情報付加手段を備える、知識共有システム。
【請求項３】
前記視覚的情報付加手段は、前記共同業務を行う前記複数の作業者のそれぞれの進捗度に基づいて、前記図形の色調を変化させる色調変化手段を含む、請求項１または２記載の知識共有システム。
【請求項４】
前記図形描画手段は、前記作業者が３人以上であるとき、この３人以上の作業者に対応するキャラクタ画像を線分で結んで１つの閉領域を描画する、請求項１または２記載の知識共有システム。
【請求項５】
前記図形の形状を整形する図形整形手段をさらに備える、請求項１ないし４のいずれかに記載の知識共有システム。
【請求項６】
前記図形が多角形であるとき、当該多角形の形状がいびつであるか否かを判断する形状判断手段をさらに備え、
前記図形整形手段は、前記形状判断手段によって前記多角形の形状がいびつであると判断されたとき、前記多角形の形状を整形する、請求項５記載の知識共有システム。
【請求項７】
前記図形の表示位置を変更する表示位置変更手段をさらに備える、請求項１ないし６のいずれかに記載の知識共有システム。
【請求項８】
前記図形の大きさを変更する大きさ変更手段をさらに備える、請求項１ないし７のいずれかに記載の知識共有システム。
【請求項９】
前記図形描画手段は、前記作業者が２人であるとき、この２人の作業者に対応するキャラクタ画像を特定の図形で結ぶ、請求項１または２記載の知識共有システム。
【請求項１０】
前記特定の図形は多角形である、請求項９記載の知識共有システム。
【請求項１１】
前記特定の業務は、前記複数の作業者が順番に行う業務を含み、
前記図形描画手段は、前記複数の作業者の人数が３人以上である場合に、その人数に相当する数の角を有する図形を第１種類の線分を用いて描画する、請求項１ないし３のいずれかに記載の知識共有システム。
【請求項１２】
前記特定の業務は、前記複数の作業者が順番に行う業務を含み、
前記図形描画手段は、前記複数の作業者の人数が２人である場合に、前記キャラクタ画像表示手段によって表示された２つのキャラクタ画像を結ぶ図形として第１種類の２本の線分を描画する、請求項１１記載の知識共有システム。
【請求項１３】
前記図形描画手段は、前記特定の業務についての１番目の作業者に対応する点を最上位置に配置するように、前記図形を描画する、請求項１１または１２記載の知識共有システム。
【請求項１４】
前記視覚的情報付加手段は、前記複数の作業者それぞれの進捗度に応じて、前記複数の作業者のそれぞれに対応する線分の一部または全部を前記第１種類から第２種類に変更する描画種類変更手段を含む、請求項１１ないし１３のいずれかに記載の知識共有システム。
【請求項１５】
前記図形描画手段は、円の中心を決定する中心決定手段、前記円の半径を決定する半径決定手段、および前記中心決定手段と前記半径決定手段とによって決定された中心と半径に基づいて円を描画する円描画手段をさらに含み、
前記視覚的情報付加手段は、前記複数の作業者のそれぞれの業務の進捗度から求めた前記特定の業務全体についての進捗度に基づいて、前記円の内部の着色範囲を変化させる円着色手段を含む、請求項１ないし１４のいずれかに記載の知識共有システム。
【請求項１６】
前記図形描画手段によって図形が描画されているとき、前記中心決定手段は、当該図形の重心を前記円の中心として決定し、前記半径決定手段は当該図形の重心から当該図形の頂点までの距離に基づいて当該円の半径を決定する、請求項１５記載の知識共有システム。
【請求項１７】
前記図形描画手段によって図形が描画されていないとき、前記中心決定手段は前記表示装置の表示領域の中心を前記円の中心として決定し、前記半径決定手段は前記表示装置の表示領域の大きさに基づいて予め定められた値を半径として決定する、請求項１５記載の知識共有システム。
【請求項１８】
前記複数の作業者それぞれの現在位置情報を記憶する現在位置情報記憶手段、および
前記現在位置情報記憶手段によって記憶されたそれぞれの現在位置情報と前記図形における前記複数の作業者のそれぞれに対応する点とに基づいて第３種類の線を描画する第３種類線描画手段をさらに備える、請求項５−８および１１−１７のいずれかに記載の知識共有システム。
【発明の詳細な説明】
【技術分野】
【０００１】
この発明は知識共有システムに関し、特にたとえば、特定の業務を共同で行う複数の作業者の間で知識を共有する、知識共有システムに関する。
【背景技術】
【０００２】
この種の知識共有システムの一例が特許文献１に開示される。この特許文献１の業務負荷軽減システムでは、担当者の業務状態を示す状態情報に基づいて通信装置の動作が制御される。担当者の業務状態は、担当者の仕事の忙しさの度合いによって「通常状態」、「注意状態」または「繁忙状態」に分類される。たとえば、この業務負荷軽減システムでは、同一の業務を行う担当者が複数存在する場合には、それぞれの担当者の業務状態およびその予定を示したスケジュール情報を同時に示す円グラフが表示部に表示される。これによって、複数の担当者およびその管理者は、業務状態を把握する。
【特許文献１】特開２００７−１１９６８号公報［Ｇ０６Ｑ  １０／００，Ｈ０４Ｍ  ３／４２］
【発明の開示】
【発明が解決しようとする課題】
【０００３】
しかし、この背景技術では、複数の担当者およびその管理者は、当該複数の担当者のそれぞれの仕事の忙しさの度合いを知ることはできるが、各担当者が遂行する業務内容の進捗度を知ることができない。また、複数の担当者およびその管理者は、複数人が共同で１つの業務を行う場合に、共同する担当者の情報（現在位置や業務の進捗度）を知ることができず、さらには、当該１つの業務の全体についての進捗度を知ることもできない。このため、人員配置の見直しを図るなどの業務の効率化を図ることができない。
【０００４】
それゆえに、この発明の主たる目的は、新規な、知識共有システムを提供することである。
【０００５】
この発明の他の目的は、共同で業務を行う作業者の現在位置およびその作業者における業務の進捗度を容易に知ることができる、知識共有システムを提供することである。
【０００６】
この発明のその他の目的は、複数の作業者が共同で行う業務全体の進捗度を容易に知ることができる、知識共有システムを提供することである。
【課題を解決するための手段】
【０００７】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００８】
第１の発明は、特定の業務を共同して行う複数の作業者間で知識を共有する知識共有システムである。この知識共有システムは、複数の作業者のそれぞれの現在位置を検出する現在位置検出手段、複数の作業者のそれぞれの業務の進捗度を検出する進捗度検出手段、特定の業務を行う場所についての地図画像を表示装置に表示する地図画像表示手段、地図画像表示手段によって表示された地図画像上に、現在位置検出手段によって検出された複数の作業者のそれぞれの現在位置に対応して、当該複数の作業者のそれぞれを示すキャラクタ画像を表示するキャラクタ画像表示手段、キャラクタ画像表示手段によって表示されたキャラクタ画像の表示位置を各頂点とする図形を地図画像上に描画して表示する図形描画表示手段、および進捗度検出によって検出された複数の作業者のそれぞれの業務の進捗度に応じて、図形描画手段によって描画された図形に視覚的情報を付加する視覚的情報付加手段を備える。
【０００９】
第１の発明では、特定の業務を共同して行う複数の作業者間で知識を共有する知識共有システム（１０）は、現在位置検出手段（１２，１４，１８，２８，１１０）は、複数の作業者のそれぞれの現在位置を検出する。進捗度検出手段（１２，３４）は、複数の作業者のそれぞれの業務の進捗度を検出する。地図画像表示手段（Ｓ７）は、特定の業務を行う場所についての地図画像を表示装置に表示する。キャラクタ画像表示手段（Ｓ４１，Ｓ１４１，Ｓ２１１）は、地図画像表示手段によって表示された地図画像上に、現在位置検出手段によって検出された複数の作業者のそれぞれの現在位置に対応して、当該複数の作業者のそれぞれを示すキャラクタ画像を表示する。図形描画表示手段（Ｓ５１，Ｓ５３，Ｓ１４３，Ｓ２１７，Ｓ２２９）は、キャラクタ画像表示手段によって表示されたキャラクタ画像の表示位置を各頂点とする図形を地図画像上に描画して表示する。視覚的情報付加手段（Ｓ８５，Ｓ１４７，Ｓ２３９，Ｓ２４１）は、進捗度検出によって検出された複数の作業者のそれぞれの業務の進捗度に応じて、図形描画手段によって描画された図形に視覚的情報を付加する。
【００１０】
たとえば、表示手段を複数の作業者やその監視員が見ることができる場所に設置しておけば、作業者および監視員は、他の作業者の現在位置と、他の作業者と行う業務の進捗度とが分かる。
【００１１】
第１の発明によれば、複数の作業者それぞれの現在位置と、複数の作業者で行う共同業務の進捗状況を可視表示するので、共同で行う業務の進捗状況を容易に知ることができる。
【００１２】
第２の発明は、サーバと作業者が携帯する通信端末とを備え、特定の業務を共同して行う複数の作業者間で知識を共有する知識共有システムである。サーバは、複数の作業者のそれぞれの現在位置を検出する現在位置検出手段、複数の作業者のそれぞれの業務の進捗度を検出する進捗度検出手段、および現在位置検出手段によって検出された複数の作業者のそれぞれの現在位置についての現在位置情報と、進捗度検出手段によって検出された複数の作業者のそれぞれの業務の進捗度についての進捗度情報とを通信端末に送信する送信手段を備える。通信端末は、送信手段によって送信された現在位置情報と進捗度情報とを受信する受信手段、特定の業務を行う場所についての地図画像を表示装置に表示する地図画像表示手段、地図画像表示手段によって表示された地図画像上に、受信手段によって受信された現在位置情報に基づいて、当該複数の作業者のそれぞれを示すキャラクタ画像を表示するキャラクタ画像表示手段、キャラクタ画像表示手段によって表示されたキャラクタ画像の表示位置を各頂点とする図形を地図画像上に描画して表示する図形描画表示手段、および受信手段によって受信された進捗度情報に基づいて、図形描画手段によって描画された図形に視覚的情報を付加する視覚的情報付加手段を備える。
【００１３】
第２の発明では、知識共有システム（１０）は、サーバ（１２）と作業者が携帯する通信端末（１６）とを備え、特定の業務を共同して行う複数の作業者間で知識を共有する。サーバの現在位置検出手段（１２，１４，１８，２８，１１０）は、複数の作業者のそれぞれの現在位置を検出する。進捗度検出手段（１２，３４）は、複数の作業者のそれぞれの業務の進捗度を検出する。送信手段（１４）は、現在位置検出手段によって検出された複数の作業者のそれぞれの現在位置についての現在位置情報と、進捗度検出手段によって検出された複数の作業者のそれぞれの業務の進捗度についての進捗度情報とを通信端末に送信する。通信端末の受信手段（４０，５４）は送信手段によって送信された現在位置情報と進捗度情報とを受信する。地図画像表示手段（４０，Ｓ７）は、特定の業務を行う場所についての地図画像を表示装置に表示する。キャラクタ画像表示手段（４０，Ｓ４１，Ｓ１４１，Ｓ２１１）は、地図画像表示手段によって表示された地図画像上に、受信手段によって受信された現在位置情報に基づいて、当該複数の作業者のそれぞれを示すキャラクタ画像を表示する。図形描画表示手段（４０，Ｓ５１，Ｓ５３，Ｓ１４３，Ｓ２１７，Ｓ２２９）は、キャラクタ画像表示手段によって表示されたキャラクタ画像の表示位置を各頂点とする図形を地図画像上に描画して表示する。視覚的情報付加手段（４０，Ｓ８５，Ｓ１４７，Ｓ２３９，Ｓ２４１）は、受信手段によって受信された進捗度情報に基づいて、図形描画手段によって描画された図形に視覚的情報を付加する。
【００１４】
そして、作業者は、通信端末を使用することで、共同業務の進捗状況を取得し、当該進捗状況を可視表示する。
【００１５】
第２の発明によれば、複数の作業者それぞれの現在位置と、複数の作業者で行う共同業務の進捗状況を可視表示するので、共同で行う業務の進捗状況を容易に知ることができる。
【００１６】
第３の発明は、第１の発明または第２の発明に従属し、視覚的情報付加手段は、共同業務を行う複数の作業者のそれぞれの進捗度に基づいて、図形の色調を変化させる色調変化手段を含む。
【００１７】
第３の発明では、色調変化手段（４０，Ｓ８５）は、共同業務を行う複数の作業者のそれぞれの進捗度に基づいて、図形の色調を変化させる。たとえば、進捗状況を百分率で表した進捗度とする場合に、或る作業者の進捗度が高ければ、或る作業者に対応する点の付近の濃度を濃くする。一方、或る作業者の進捗度が低ければ、或る作業者に対応する点の付近の濃度を薄くする。
【００１８】
第３の発明によれば、図形の色調によって、複数の作業者それぞれの進捗状況を知ることができる。
【００１９】
第４の発明は、第１の発明ないし第２の発明のいずれかに従属し、図形描画手段は、作業者が３人以上であるとき、この３人以上の作業者に対応するキャラクタ画像を線分で結んで１つの閉領域を描画する。
【００２０】
第４の発明では、作業者が３人以上であるとき、作業者に対応するキャラクタ画像が結ばれることで、一つの閉領域が描画される。たとえば、作業者が３人以上のときは、描画される図形は多角形となり、視覚的情報は、当該多角形に付加される。
【００２１】
第４の発明によれば、作業者が３人以上のときは、可視表示された図形によって、共同で行う業務の進捗状況を容易に知ることができる。
【００２２】
第５の発明は、第１ないし第４の発明のいずれかに従属し、図形の形状を整形する図形整形手段をさらに備える。
【００２３】
第５の発明では、図形整形手段（４０，Ｓ４７，Ｓ４９，Ｓ５５，Ｓ５７，Ｓ５９）は、図形の形状を整形する。
【００２４】
第５の発明によれば、可視表示された図形の形状は、認識されやすいように整形されるため、使用者は、共同で行う業務の進捗状況をより正確に知ることができる。
【００２５】
第６の発明は、第５の発明に従属し、図形が多角形であるとき、当該多角形の形状がいびつであるか否かを判断する形状判断手段をさらに備える。図形整形手段は、形状判断手段によって多角形の形状がいびつであると判断されたとき、多角形の形状を整形する。
【００２６】
第６の発明では、形状判断手段（４０，Ｓ５７）は、図形が多角形であるとき、当該多角形の形状がいびつであるか否かを判断する。そして、図形整形手段は、形状判断手段によって多角形の形状がいびつであると判断されたとき、多角形の形状を整形する。
【００２７】
第６の発明によれば、視覚的情報を認識することが困難な多角形が描画された場合に、視覚的情報を認識させやすい多角形に変形することができる。
【００２８】
第７の発明は、第１の発明ないし第６の発明のいずれかに従属し、図形の表示位置を変更する表示位置変更手段をさらに備える。
【００２９】
第７の発明では、表示位置変更手段（４０，Ｓ６５，Ｓ６７，Ｓ６９）は、図形の表示位置を変更する。
【００３０】
第８の発明は、第１の発明ないし７の発明のいずれかに従属し、図形の大きさを変更する大きさ変更手段をさらに備える。
【００３１】
第８の発明では、大きさ変更手段（４０，Ｓ７１，Ｓ７３，Ｓ７５，Ｓ７７，Ｓ７９）は、図形の大きさを変更する。
【００３２】
第７の発明および第８の発明によれば、多角形の大きさおよび表示位置を作業者および監視員にとって認識しやすい状態に変更することができる。
【００３３】
第９の発明は、第１の発明または第２の発明に従属し、図形描画手段は、作業者が２人であるとき、この２人の作業者に対応するキャラクタ画像を特定の図形で結ぶ。
【００３４】
第９の発明では、作業者が２人であるとき、この２人の作業者に対応するキャラクタ画像は、特定の図形で結ばれる。
【００３５】
第９の発明によれば、複数の作業者が２人のときは、可視表示された特定の図形によって、共同で行う業務の進捗状況を容易に知ることができる。
【００３６】
第１０の発明は、第９の発明に従属し、特定の図形は多角形である。
【００３７】
第１０の発明では、たとえば、特定の図形は、縦長の六角形や、長方形である。
【００３８】
第１１の発明は、第１の発明ないし第３の発明のいずれかに従属し、特定の業務は、複数の作業者が順番に行う業務を含む。図形描画手段は、複数の作業者の人数が３人以上である場合に、その人数に相当する数の角を有する図形を第１種類の線分を用いて描画する。
【００３９】
第１１の発明では、特定の業務は、複数の作業者が順番に行う業務を含み、図形描画手段は、複数の作業者の人数が３人以上である場合に、その人数に相当する数の角を有する図形を第１種類の線分を用いて描画する。たとえば、第１種類線は点線である。そして、複数の作業者が順番に行う特定の業務の進捗度は、第１種類の線分で描画された図形で描画される。
【００４０】
第１１の発明によれば、描画された図形の線分が第１種類線であれば、複数の作業者が順番に行う特定の業務であるため、複数の作業者または監視員は、容易に特定の業務を複数の作業者が順番に行う業務であるか否かを判断することができる。
【００４１】
第１２の発明は、第１１の発明に従属し、特定の業務は、複数の作業者が順番に行う業務を含む。図形描画手段は、複数の作業者の人数が２人である場合に、キャラクタ画像表示手段によって表示された２つのキャラクタ画像を結ぶ図形として第１種類の２本の線分を描画する。
【００４２】
第１２の発明では、特定の業務は、複数の作業者が順番に行う業務を含み、図形描画手段は、複数の作業者の人数が２人である場合に、キャラクタ画像表示手段によって表示された２つのキャラクタ画像を結ぶ図形として第１種類の２本の線分を描画する。
【００４３】
第１３の発明は、第１１の発明または第１２の発明に従属し、図形描画手段は、特定の業務についての１番目の作業者に対応する点を最上位置に配置するように、図形を描画する。
【００４４】
第１３の発明では、描画された図形における最上部は、１番目に作業を行う作業者を示す。たとえば、図形が線分であれば、１番目に作業を行う作業者のアイコンが上側に配置され、最後に作業を行う作業者のアイコンが下側に配置される。また、図形が多角形であれば、１番目に作業を行う作業者に対応する頂点が最上部になる。
【００４５】
第１３の発明によれば、１番目に作業を行う作業者は、図形の最上部に示されるため、業務を行う順番を容易に知ることができる。
【００４６】
第１４の発明は、第１１の発明ないし第１３の発明のいずれかに従属し、視覚的情報付加手段は、複数の作業者それぞれの進捗度に応じて、複数の作業者のそれぞれに対応する線分の一部または全部を第１種類から第２種類に変更する描画種類変更手段を含む。
【００４７】
第１４の発明では、描画種類変更手段（４０，Ｓ２３７，Ｓ２３９，Ｓ２４１）は、複数の作業者それぞれの進捗度に応じて、複数の作業者のそれぞれに対応する線分の一部または全部を第１種類から第２種類に変更する。つまり、図形は、特定の業務をフローとして視覚化し、フロー間の厳密な作業進捗度を示す。
【００４８】
第１４の発明によれば、可視表示された図形によって、容易に業務を遂行している作業者を知ることができる。
【００４９】
第１５の発明は、第１の発明ないし第１４の発明のいずれかに従属し、図形描画手段は、円の中心を決定する中心決定手段、円の半径を決定する半径決定手段、および中心決定手段と半径決定手段とによって決定された中心と半径に基づいて円を描画する円描画手段をさらに含み、視覚的情報付加手段は、複数の作業者のそれぞれの業務の進捗度から求めた特定の業務全体についての進捗度に基づいて、円の内部の着色範囲を変化させる円着色手段を含む。
【００５０】
第１５の発明では、図形描画手段の中心決定手段（４０，Ｓ１６３，Ｓ１６７）は、円の中心を決定する。半径決定手段（４０，Ｓ１６５，Ｓ１６７）は、円の半径を決定する。円描画手段（４０，Ｓ１４３，Ｓ１６７，Ｓ１６９）は、中心決定手段と半径決定手段とによって決定された中心と半径に基づいて円を描画する。視覚的情報付加手段の複数の円着色手段（４０，Ｓ１４７）は、作業者のそれぞれの業務の進捗度から求めた特定の業務全体についての進捗度に基づいて、円の内部の着色範囲を変化させる。つまり、描画された図形に応じて円を描画し、共同で行う特定の業務における全体の進捗状況に応じて、その内部を着色する。
【００５１】
第１５の発明によれば、描画された円の内部は、共同で行う特定の業務における全体の進捗状況に応じて着色されるため、共同で行う業務の進捗状況を容易に知ることができる。
【００５２】
第１６の発明は、第１５の発明に従属し、図形描画手段によって図形が描画されているとき、中心決定手段は、当該図形の重心を円の中心として決定し、半径決定手段は当該図形の重心から当該図形の頂点までの距離に基づいて当該円の半径を決定する。
【００５３】
第１６の発明では、描画された図形の重心および重心から頂点までの距離値に基づいて、円の中心と半径が決定される。
【００５４】
第１６の発明によれば、図形の重心および重心から頂点までの距離値に基づいて円が描画されるため、適切な大きさの円を描画することができる。
【００５５】
第１７の発明は、第１５の発明に従属し、図形描画手段によって図形が描画されていないとき、中心決定手段は表示装置の表示領域の中心を円の中心として決定し、半径決定手段は表示装置の表示領域の大きさに基づいて予め定められた値を半径として決定する。
【００５６】
第１７の発明では、図形が描画されていなければ、表示手段における表示領域の重心および予め定められた値に基づいて、円の中心と半径が決定される。
【００５７】
第１７の発明によれば、図形が描画されていなくとも、適切な大きさの円を描画することができる。
【００５８】
第１８の発明は、第５の発明ないし第８の発明および第１１の発明ないし第１７の発明のいずれかに従属し、複数の作業者それぞれの現在位置情報を記憶する現在位置情報記憶手段、および現在位置情報記憶手段によって記憶されたそれぞれの現在位置情報と図形における複数の作業者のそれぞれに対応する点とに基づいて第３種類の線を描画する第３種類線描画手段をさらに備える。
【００５９】
第１８の発明では、現在位置情報記憶手段（４０，Ｓ５）は、複数の作業者それぞれの現在位置情報を記憶する。第３種類線描画手段（４０，Ｓ８３，Ｓ２３３）は、現在位置情報記憶手段によって記憶されたそれぞれの現在位置情報と図形における複数の作業者のそれぞれに対応する点とに基づいて第３種類の線を描画する。たとえば、第３種類の線は破線である。
【００６０】
第１８の発明によれば、図形における複数の作業者の現在位置を容易に知ることができるため、その複数の作業者の位置とその作業者の業務状態を関連付けて認識することができる。
【発明の効果】
【００６１】
この発明によれば、複数の作業者それぞれの現在位置およびそれぞれの業務の進捗状況を可視表示するので、共同で業務を行う作業者およびその作業者における業務の進捗状況を容易に知ることができる。
【００６２】
この発明の上述の目的，その他の目的，特徴および利点は、図面を参照して行う以下の実施例の詳細な説明から一層明らかとなろう。
【発明を実施するための最良の形態】
【００６３】
図１を参照して、この発明の一実施例である知識共有システム１０は、たとえば病院に適用され、サーバ１２を含む。このサーバ１２は、有線或いは無線による通信回線（ネットワーク）１４を介して複数の看護師用端末（以下、単に「端末」という。）１６、複数の通過センサ１８および複数の中継器２０に接続される。端末１６は、ＰＤＡやＰＨＳまたは携帯電話装置のような携帯型の端末であり、看護師毎に割り当てられる。通過センサ１８は、赤外線を受光する受光装置であり、入院患者を収容する病棟内の廊下や診察室、手術室、トイレ、階段室、病室および看護師詰所などの各部屋の出入り口などに配置される。中継器２０は、ＰＤＡや携帯型のコンピュータのような携帯型の装置であり、看護師毎に割り当てられる。
【００６４】
図２はサーバ１２の具体的な構成を示すブロック図であり、サーバ１２には、図１では省略したが、モニタ装置２２が接続される。モニタ装置２２は、たとえば、複数の対物センサ、複数の集音マイク（音センサ）および複数のビデオカメラ（イメージセンサ）などのセンサを含む。図示は省略するが、この実施例では、複数の対物センサは、体温計、血圧計、注射器、点滴注射器（注入器）、血液採取用試験管、検尿コップなどの医療器具を格納してある格納箱（格納庫）の取り出し部分（出入り口）、格納箱（格納庫）の鍵やナースコール端末などに設置され、それらの医療器具等についての使用（取り出し）の有無を検知する。ただし、これらの医療器具等に、電子タグ情報（ＲＦ−ＩＤ）やバーコードのような識別情報を付加しておき、タグ情報やバーコードを読み取ることにより、その使用の有無を検出するようにしてもよい。また、複数の集音マイクは、入院患者を収容する病棟内であり、廊下および病室（ベッド或いはその近傍）などに設置され、周囲音（たとえば、看護師の音声など）を集音する。さらに、複数のビデオカメラは、集音マイクと同様に、入院患者を収容する病棟内の廊下および病室（ベッド或いはその近傍）などに設置されるとともに、看護師詰所などにも設置され、看護業務を行う看護師（の行動）を撮影する。ここで、看護業務とは、問診、検温、検圧、注射、投薬、点滴注射、退院指導、ベッドなどの片付けなどの看護師が行うべき業務の総称である。ただし、この実施例では、単に「看護業務」という場合には、任意の１つの業務を示す。
【００６５】
また、図２に示すように、サーバ１２には、６つのデータベース（ＤＢ）が接続される。具体的には、看護状況ＤＢ２４、看護師属性ＤＢ２６、場所ＤＢ２８、スケジュールＤＢ３０、知識ＤＢ３２および共同看護業務ＤＢ３４がサーバ１２に接続される。
【００６６】
看護状況ＤＢ２４には、モニタ装置２２からの情報や中継器２０からの情報に基づいて特定された、看護師が現在遂行中の看護業務およびその進捗度を含む看護状況のテーブルが、看護師毎に記録される。ただし、図３（Ａ）では、看護師Ａについての看護状況のみを具体的に示してあるが、他の看護師Ｂ，Ｃ，…についても同様である。図３（Ａ）に示すように、看護状況のテーブルでは、看護業務の内容（名称）に対応して、その経過（進捗度）、患者名、開始時刻および終了時刻が記録される。看護業務の欄には、終了したまたは遂行中の看護業務の名称が記録される。経過の欄には、対応する看護業務の進行状況（進捗度）状況が記録される。この実施例では、各看護業務は、準備、実行、片付けに分類される。患者名の欄には、対応する看護業務を行う対象としての患者の名前（患者名）が記録される。ここでは、患者名は、患者ａ，患者ｂ，…で示してある。開始時刻の欄には、看護業務の準備、実行、片付けのそれぞれについての開始時刻が記録される。また、開始時刻（後述する終了時刻も同じ。）は、時分秒で記録される。終了時刻の欄には、看護業務の準備、実行、片付けのそれぞれについての終了時刻が記録される。
【００６７】
なお、図示は省略するが、看護状況のテーブルは、当該看護師の看護師名（看護師ＩＤ）に対応づけて看護状況ＤＢ２４に記録される。
【００６８】
看護師属性ＤＢ２６には、看護師の属性情報が看護師毎に記録される。図示は省略するが、看護師毎の属性情報とは、当該看護師の名前、看護師としての経験年数、実行したことがある看護業務の内容（経験）、役職名（職位）および看護師に与えられた権限内容などの情報を意味する。なお、属性情報は、当該看護師の看護師ＩＤに対応して看護師属性ＤＢ２６に記録される。
【００６９】
場所ＤＢ２８は、看護師や物（器具）の場所（現在位置）のテーブルが看護師や物毎に記録される。図３（Ｂ）に示すように、看護師の場所のテーブルでは、場所（現在位置）に対応して、入室時刻および退室時刻が記録される。場所の欄には、看護師が存在する部屋（たとえば、看護師詰所、病室および診察室など）、廊下や階段室の名称が記録される。たとえば、これらの部屋、廊下や階段室には、予め識別可能な名称や識別情報（部屋ＩＤ）が割り当てられている。したがって、場所の欄には、場所ＩＤが記録されてもよい。入室時刻の欄には、対応する部屋等に入室した時刻が時分秒で記録される。退室時刻の欄には、対応する部屋等から退室した時刻が時分秒で記録される。ただし、廊下の場合には、入室時刻と退室時刻とで示す時間で当該廊下を通過したことを意味する。なお、看護師の場所のテーブルは、当該看護師の看護師ＩＤに対応して場所ＤＢ２８に記録される。
【００７０】
また、図示は省略するが、物の場所のテーブルでは、図３（Ｂ）に示した看護師の場所のテーブルと同様に、場所（現在位置）に対応して、入室時刻および退室時刻が記録される。ただし、物は、上述したような医療器具等である。したがって、その場所がモニタ装置２２によって検出され、看護師と同様に、移動の有無や現在位置（場所）が追跡される。なお、物の場所のテーブルは、当該物の識別情報（器具ＩＤ）に対応して場所ＤＢ２８に記録される。
【００７１】
スケジュールＤＢ３０には、看護師の１日の業務についてのスケジュール（ワークシート）のテーブルが看護師毎に記録されるとともに、病院全体ないし各科のスケジュールが記録される。具体的には、図４に示すように、看護師のスケジュールの内容（テーブル）としては、看護業務に対応して、患者名、開始時刻および状況が記録され、各看護業務にはラベルが付与されている。図４では、看護師Ａ、看護師Ｂおよび看護師Ｃについての一部のスケジュールの例を示してある。また、他の看護師についても同様である。
【００７２】
ラベルの欄には、対応する看護業務についての識別情報が記述される。この実施例では、一人の看護師（Ａ）が単独で遂行するべき看護業務（以下、「単独看護業務」ということがある。）と、他の看護師（Ｂ，Ｃ，…など）と共同して遂行するべき看護業務（以下、「共同看護業務」ということがある。）とを識別するとともに、共同看護業務の各々を識別するための識別情報である。図４に示す例では、単独看護業務のラベルとして「単」が記述され、共同看護業務のラベルとして「共−Ａ」，「共−Ｂ」，「共−Ｃ」…などが記述される。ただし、共同看護業務のラベルのハイフン以下のアルファベットが個々の共同看護業務を識別するための情報である。
【００７３】
ただし、看護業務のうち、共同看護業務についての同じラベルが付与されているものは、それらすべてをまとめて、当該看護師（ここでは、看護師Ａ）が遂行するべき、１つの共同看護業務に相当する。また、共同看護業務を遂行する他の看護師のスケジュールにおいても、同じ共同看護業務については同じラベルが付与されている。さらに、詳細な説明は省略するが、共同看護業務のラベルには、さらに当該共同看護業務が順番に遂行されるべきであるか否かを示す情報も含まれる。たとえば、順番に従って共同看護業務を遂行する必要がある場合には、アルファベットの後に、さらに順番を示す数字が付加される。さらにまた、共同看護業務のラベルには、当該共同看護業務において、各看護師が担当する看護業務が複数の手順を踏むものであるか否かを識別する情報も含まれている。
【００７４】
患者名の欄には、対応する看護業務を遂行する対象となる患者の患者名（ここでは、患者ａ，ｂ，ｃ，ｆ，ｇ，ｈ，ｊ，ｋ…）が記録される。予定時刻の欄には、対応する看護業務を実行（開始）する予定の時刻が時分秒で記録される。状況の欄には、対応する看護業務を実行したか否かが記録される。具体的には、対応する看護業務を実行した場合には、状況として「済」が記録され、未だ実行していない場合には、状況として「未」が記録される。なお、看護業務を開始した当初では、すべての看護業務に対する状況として「未」が記録されており、看護師が看護業務を遂行することにより、上述したように、看護状況ＤＢ２４に記録された看護状況において看護業務についての経過として「片付け」が記録されると、当該看護業務が終了したと判断して、看護師のスケジュールの対応する看護業務についての状況として「済」が記録される。つまり、実行した看護業務についての状況が「未」から「済」に更新される。
【００７５】
なお、図示は省略するが、病院全体ないし各科のスケジュールには、使用する器具や人員（医師や看護師）の予約時間が記録される。予約時間とは、たとえば、手術や検査などで、器具の使用や人員の稼動が予約されている時間（開始時刻と終了時刻）を意味する。
【００７６】
知識ＤＢ３２には、看護業務についての知識が記録される。図示は省略するが、この実施例では、看護業務の知識としては、看護業務の手順、看護業務に必要な看護師の人数、看護業務に必要な器具・薬品とその個数などが記録される。また、看護業務毎に、看護業務を行うときの看護師の動作に対応する加速度の時間変化（加速度データ）を予め取得して、これを辞書データとして記憶してある。ただし、看護師毎に、手順や癖が異なったり、身体的な特徴（身長や手の長さなど）が異なったりするため、看護師毎に、辞書データを記憶するようにしてもよい。
【００７７】
共同看護業務管理ＤＢ３４には、図５（Ａ）および図５（Ｂ）に示すような、共同看護業務の進捗度のテーブルが共同看護業務別で記録される。図５に示す例では、共同看護業務Ａおよび共同看護業務Ｃについてのみ示してあるが、他の共同看護業務（Ｂなど）についても同様である。また、図５（Ａ）に示す共同看護業務Ａは、これに関わる複数の看護師のそれぞれが同時（並列的に）進行可能な共同看護業務であり、図５（Ｂ）に示す共同看護業務Ｃは、これに関わる複数の看護師が順番に看護業務を遂行する必要がある共同看護業務である。
【００７８】
図５（Ａ）（図５（Ｂ）も同様。）に示すように、共同看護業務の進捗度のテーブルでは、担当者（看護師Ａ，Ｂ，…）に対応して、現在位置および進捗度が記録される。担当者の欄には、当該共同看護業務Ａに関わる複数の看護師の名前（または看護師ＩＤ）が記録される。現在位置の欄には、対応する看護師の現在位置が記録される。進捗の欄には、対応する看護師の当該共同看護業務における看護業務の総数と、すでに完了した看護業務の数とが記録される。そして、進捗度の欄には、対応する看護師の当該共同看護業務における個別の進捗度がたとえば百分率で記録される。
【００７９】
ただし、看護師の現在位置は、場所ＤＢ２８を参照することにより、適宜更新される。また、各進捗は看護師毎に記録される。たとえば、進捗の欄で、共同看護業務Ａにおける看護師Ａの総数は、看護師Ａのスケジュールを参照して、「共−Ａ（共同看護業務Ａ）」のラベルが付与された看護業務の数である。また、すでに完了した看護業務の数は、看護師Ａのスケジュールを参照して、状況の欄に「済」が記録された看護業務の数である。
【００８０】
そして、各進捗度は、看護師毎に算出される。この実施例では、共同看護業務における各看護師が担当する全部の看護業務を１００％として、そのうち、終了した看護業務（仕事量）の割合が計算されるのである。ここでは、共同看護業務Ａにおける看護師Ａの看護業務の進捗度は、進捗の欄を参照して、記録された看護業務の総数のうち、すでに完了した看護業務の数の割合を算出することにより求められる。他の看護師（Ｂなど）についても同様である。このようにして、共同看護業務における看護師毎の看護業務を算出することができる。
【００８１】
当該共同看護業務全体の進捗度は、当該共同看護業務の進捗度のテーブルにおいて、各進捗の欄に記録されている各看護師の看護業務の総数の合計のうち、各看護師のすでに完了した看護業務の数の合計の割合を算出することにより求められる。たとえば、看護師Ａ，Ｂ…それぞれが担当する共同看護業務Ａにおける看護業務の総数の合計が９０であり、すでに完了した看護業務の数の合計が４５であれば、共同看護業務Ａ全体の進捗度は、５０％となる。また、共同看護業務Ｃについても、共同看護業務Ｃ全体の進捗度の算出方法は同じである。
【００８２】
なお、他の実施例として、共同看護業務全体の進捗度は、当該共同看護業務を行う看護業務の時間に対して、すでに完了した看護業務にかけた時間の割合から算出されてもよい。たとえば、看護師Ａ，Ｂ，Ｃの３人が共同で行う共同看護業務Ｄにおいて、共同看護業務Ｄ行う看護業務の時間が５０分であり、看護師Ａ，Ｂ，Ｃの３人がすでに完了した業務にかけた時間が４０分であれば、共同看護業務Ｄ全体の進捗度は、８０％となる。
【００８３】
また、図２に示すように、サーバ１２は、その内部に時計回路１２ａを有している。この時計回路１２ａは、日付および時間を計時する。この実施例では、サーバ１２は、時計回路１２ａを参照して、看護師が現在遂行中の看護業務やその進捗度の情報にタイムスタンプを付与したり、看護師や医療器具等の場所（入室，退室，通過）の情報にタイムスタンプを付与したりする。また、サーバ１２は、時計回路１２ａを参照して、看護師のスケジュールに記載された看護業務の開始時刻（日時）であるか否かを判断したり、器具や人（医師、看護師）の予約時間であるか否かを判断したりする。
【００８４】
図６は、図１に示した端末１６の電気的な構成を示すブロック図である。図６を参照して、端末１６はＣＰＵ４０を含み、このＣＰＵ４０には、メモリ４２、キースイッチ４４、ＬＣＤドライバ４６、モータドライバ５０、無線ＬＡＮ５４およびアンプ５６が接続される。また、ＬＣＤドライバ４６にはＬＣＤ４８が接続され、モータドライバ５０には振動モータ５２が接続され、そして、アンプ５６にはスピーカ５８が接続される。
【００８５】
なお、上述したように、端末１６としてＰＨＳまたは携帯電話装置を用いる場合には、さらに通話（電話）機能が追加される。
【００８６】
ＣＰＵ４０は、端末１６の全体制御を司る。メモリ４２は、ＲＯＭやＲＡＭを含む。この実施例では、端末１６は主として情報提示装置として機能し、ＲＯＭには、情報提示のためのプログラム（情報提示プログラム）や情報提示のために必要なデータ（画像データ、音データ）が記憶されている。ただし、提供される情報は、この知識共有システム１０で共有される知識である。ＲＡＭは、ＣＰＵ４０の記憶領域、作業領域およびバッファ領域として用いられる。
【００８７】
この実施例では、情報提示のために必要なプログラムやデータをＲＯＭに記憶するようにしてあるが、サーバ１２からダウンロードするようにしてもよい。このようにすれば、ＲＯＭの容量を削減することができる。
【００８８】
キースイッチ４４は、テンキー、十字キーのようなカーソルキーおよび選択キーなどの各種キーないしボタン（スイッチ）であり、看護師の指示入力に用いられる。ＬＣＤドライバ４６はＬＣＤ４８の駆動装置であり、ＣＰＵ４０からの指示に従ってＬＣＤ４８に画像を表示する。この実施例では、ＬＣＤ４８は、主として、後述するような情報提示画面４００，５００，８００，９００，１１００，１２００および１３００（図１１，図１２，図２３，図２５および図２６参照）を表示するために用いられる。モータドライバ５０は、振動モータ５２の駆動装置であり、ＣＰＵ４０からの指示に従って振動モータ５２を駆動する。たとえば、サーバ１２から情報の提示があると、振動モータ５２を駆動することにより、端末１６を振動させて、その旨をユーザに知らせる。または、スピーカ５８から通知音（音、音声ないし音楽）を出力して、情報の提示がある旨をユーザに知らせるようにしてもよい。このとき、ＣＰＵ４０からの音データは、アナログの音（音声）信号に変換された後、アンプ５６で増幅され、スピーカ５８から出力される。ただし、振動および音の両方で通知するようにしてもよい。
【００８９】
無線ＬＡＮ５４は、ＣＰＵ４０の指示に従って、看護師がキースイッチ４４を用いて入力した指示入力（コマンド）を、ネットワーク１４を介してサーバ１２に送信する。詳細な説明は省略するが、サーバ１２では、端末１６の無線ＬＡＮ５４のＭＡＣアドレスを看護師ＩＤに対応づけて管理しているため、通信している端末１６の使用者（看護師）をサーバ１２側で認識することが可能である。ただし、メモリ４２（ＲＯＭ）に看護師ＩＤを記憶しておき、コマンドとともに看護師ＩＤをサーバ１２に送信するようにしてもよい。また、無線ＬＡＮ５４は、サーバ１２から送信された情報（画面表示に関する情報）を受信して、ＣＰＵ４０に与える。
【００９０】
図７に示すように、通過センサ１８は、第１受光モジュール７２および第２受光モジュール７４を含み、第１受光モジュール７２および第２受光モジュール７４は、ゲートの上部であり、互いに異なる側面に装着される。また、ゲートの上に載置されるケース１８０内には、通過センサ１８の受光モジュール（７２，７４）以外のコンポーネント（ＣＰＵ７０，ＲＡＭ７６，無線ＬＡＮ７８：図９参照）が内蔵される。ただし、ゲートは分かり易く示すために図示しただけであり、通常は、看護師詰所、診察室、病室のような部屋の出入り口、廊下と廊下との連結部（十字路、Ｔ字路など）、廊下と階段との連結部のような要所に通過センサ１８は設置される。また、必要であれば、エレベータのゲートに設置されてもよい。
【００９１】
また、図８に示すように、各看護師の頭部には、赤外線信号を発信する送信機１１０が装着される。たとえば、送信機１１０は、クリップのような固定器具を用いて、ナースキャップや頭髪に固定される。また、送信機１１０が発信する赤外線信号は、たとえば、８ビットの固定のパターン（看護師ＩＤ）である。
【００９２】
図９は通過センサ１８の電気的な構成を示すブロック図である。図９を参照して、通過センサ１８はＣＰＵ７０を含み、ＣＰＵ７０には、第１受光モジュール７２、第２受光モジュール７４、ＲＡＭ７６および無線ＬＡＮ７８が接続される。各通過センサ１８の受光モジュール（７２，７４等）のそれぞれには、固有の識別情報（受光モジュールＩＤ）が割り当てられている。各受光モジュール（７２，７４等）は、送信機１１０（図８参照）からの赤外線信号を検出する。ここで、送信機１１０から送信される赤外線信号は、上述したように、８ビットの固定のパターン（看護師ＩＤ）である。たとえば、受光モジュール（７２，７４）は、看護師ＩＤを受信すると、受信した看護師ＩＤをＣＰＵ７０に与える。ＣＰＵ７０は、看護師ＩＤを受信した受光モジュール（７２，７４）の受光モジュールＩＤを当該看護師ＩＤに付加して、ＲＡＭ７６に記憶（一時記憶）し、その後、無線ＬＡＮ７８およびネットワーク１４を介して、サーバ１２に送信する。
【００９３】
サーバ１２では、受光モジュールＩＤが付加された看護師ＩＤを受信すると、受信した受光モジュールＩＤに対応する場所を看護師ＩＤが示す看護師の現在位置として、場所ＤＢ２８に登録する。このとき、サーバ１２は、時計回路１２ａを参照して、看護師の現在位置（場所）にタイムスタンプを付与する。
【００９４】
なお、この実施例では、端末１６の処理負担の軽減やメモリ４２の容量節約のために、サーバ１２側で、当該看護師の現在位置を特定するようにしてあるが、通過センサ１８がネットワーク１４を介して受光モジュールＩＤと看護師ＩＤとを端末１６に送信し、看護師自身の現在位置を当該端末１６が算出するようにしてもよい。
【００９５】
図１０は、図１に示した中継器２０の電気的な構成を示すブロック図である。図１０を参照して、中継器２０はＣＰＵ９０を含む。ＣＰＵ９０には、メモリ９２、エンコーダ９４、非接触センサ９８、加速度センサ１００および無線ＬＡＮ１０２が接続される。メモリ９２は、ワークメモリないしバッファメモリとして働き、ＣＰＵ９０によって使用される。エンコーダ９４にはピンマイク９６が接続され、エンコーダ９４は、ピンマイク９６から入力される音声信号をＭＰ３のような圧縮音声データ（以下、単に「音声データ」という。）に変調してＣＰＵ９０に入力する。このように、音声信号を圧縮変調するのは、メモリ９２の使用量を比較的少なくするためであり、また、後述するように、無線ＬＡＮ１０２を介して送信するデータのデータ量を低減するためである。たとえば、看護師は、ピンマイク９６を通して、開始するまたは終了した看護業務の内容を音声で入力する。したがって、サーバ１２は、音声を解析することにより、看護師が開始、実行または終了した看護業務を知ることができる。
【００９６】
なお、図１０では、簡単のため、複数の加速度センサ１００ａ，１００ｂ，１００ｃ，１００ｄを、加速度センサ１００として包括的に示してある（図８参照）。
【００９７】
ここで、図８を参照して分かるように、端末１６および中継器２０も送信機１１０と同様に各作業者（看護師）に装着される。図８に示すように、端末１６は、看護師の手首に装着される。図示は省略するが、端末１６のＬＣＤ４８が見えるような向きで、腕時計を装着するように、バンドのような固定器具を用いて装着される。
【００９８】
また、中継器２０では、ピンマイク９６、非接触センサ９８および加速度センサ１００（１００ａ，１００ｂ，１００ｃ，１００ｄ）以外の回路コンポーネント（図１０参照）はボックス２００に収容され、ボックス２００は看護師の腰部（ベルト部分）に装着される。
【００９９】
図８に示すように、ピンマイク９６は、看護師の衣服（白衣）の襟元付近に装着される。また、非接触センサ９８は、ペン型のケースに収容され、看護師の白衣の胸ポケットに挿すように収納される。ただし、図面では、分かり易く示すために、ペン型のケースを胸ポケットの外部に記載してある。
【０１００】
また、看護師の両手（両腕）、胸および腰などには、加速度センサ１００が装着される。この実施例では、加速度センサ１００ａが右腕に装着され、加速度センサ１００ｂが左腕に装着され、加速度センサ１００ｃが胸に装着され、そして、加速度センサ１００ｄが腰に装着される。ただし、図８では、分かり易く示すために、各加速度センサ１００を白衣の外部に記載してあるが、各加速度センサ１００は、実際には、ゴムバンドのような適宜の固定器具を用いて、白衣の内部で腕などに固定される。
【０１０１】
なお、図８においては省略するが、非接触センサ９８と加速度センサ１００とは接続線を用いてボックス２００内のＣＰＵ９０に接続され、ピンマイク９６は接続線を用いてボックス２００内のエンコーダ９４に電気的に接続される。ただし、接続線を用いずに、Ｂｌｕｅｔｏｏｔｈ（登録商標）のような近距離無線によって接続するようにしてもよい。つまり、電気的に接続されればよい。
【０１０２】
また、この実施例で用いるピンマイク９６は指向性を有するものである。これは、ピンマイク９６を装着する看護師の音声のみを検出して、患者のプライバシーを守るためである。
【０１０３】
非接触センサ９８としては、焦電センサを用いることができ、ＣＰＵ９０は非接触センサ９８からの入力に応じてピンマイク９６をオン／オフする。この実施例では、非接触センサ９８すなわち焦電センサの前で、看護師が手を２回上下させると、その検出信号がＣＰＵ９０に入力され、これに応じて、ＣＰＵ９０はピンマイク９６をオンし、その後、看護師が焦電センサの前で、手を２回上下させると、ピンマイク９６をオフする。ただし、ＣＰＵ９０は、看護師の操作によらないで、所定時間（１０秒）が経過した場合にもピンマイク９６をオフするようにしてある。
【０１０４】
加速度センサ１００は、たとえば、多軸（３軸）の加速度センサであり、サンプリング周波数が２００Ｈｚであり、加速度は±３Ｇ（Ｇは重力）まで計測可能である。この中継器２０では、加速度センサ１００で検出される加速度のデータ（加速度データ）がＣＰＵ９０に与えられる。ＣＰＵ９０は、加速度センサ１００からの加速度データをＲＡＭ９２に記憶（一時記憶）し、一定時間（たとえば、１０秒）毎に、その一定時間分の加速度データを、無線ＬＡＮ１０２およびネットワーク１４を介してサーバ１２に送信する。上述したように、知識ＤＢ３２には、予め看護業務を実行した場合の加速度データの時間変化を辞書データとして記憶しているので、中継器２０から送信される加速度データと比較することにより、実行中の看護業務の内容を特定することができる。たとえば、辞書データと中継器２０からの加速度データとを、周知のＤＰマッチングの方法により、比較することにより、看護業務を特定することができる。
【０１０５】
なお、加速度センサ１００に代えて、ジャイロセンサ、照度センサまたは温度センサなどの他のセンサを用いることもできる。他のセンサを用いる場合には、その他のセンサの出力がサーバ１２に送信される。
【０１０６】
たとえば、或る看護師はワークシートに従って単独看護業務を遂行したり、他の看護師と共同看護業務を遂行したりする。たとえば、単独看護業務としては、担当する患者に対して、注射（点滴注射）を行ったり、担当する患者の食事の補助を行ったりすることが該当する。また、共同看護業務としては、他の看護師と分担して、入院患者の全員に対して検温や検圧を行ったり、他の看護師と同時に手術の補助を行ったりすることが該当する。このように、同時（同時期）に実行する共同看護業務の他に、順番に従って実行すべき共同看護業務もある。たとえば、或る患者が退院した後に、当該或る患者が使用していた病室（ベッド）に他の患者を受け入れる場合の共同看護業務や取扱に注意の必要な薬品または器具の使用申請書のような文書を回議する場合の共同看護業務が該当する。前者の場合には、たとえば、第１の看護師が退院する患者に退院指導し、次に、第２の看護師が他の患者を受け入れるためにベッドなど病室の準備を行い、続いて、第３の看護師（第１の看護師でもよい。）が他の患者を病室に案内する。後者の場合には、たとえば、或る看護師が申請書を提出すると、複数の承認（決済）者（この実施例では、師長などの他の看護師）に申請書が順次回議される。
【０１０７】
通常、各看護師のワークシートには、各看護師の経験などに基づいて、各看護師間でバランス良く看護業務が割り振られている。しかし、看護師は突発的な患者の要望に対応したり、急患の対応に追われたりすることが日常茶飯事であり、ワークシート通りに、看護業務を遂行（進行）させることは困難である。たとえば、共同看護業務を遂行する場合に、当該共同看護業務を遂行する他の看護師を手伝ったり、手伝ってもらったりすることができれば、共同看護業務や病院全体の業務の進行を促進することができる。また、順番に看護業務を遂行するような共同看護業務では、他の看護師の看護業務の進捗度を知ることができれば、仮に或る担当者（承認者）のところで共同看護業務の進行が滞っているとしても、その進行を督促したり、手伝いをしたりすることができる。
【０１０８】
しかし、通常の場合、他の看護師の看護業務の進捗度を知るためには、当該他の看護師を探して聞き出したり、当該他の看護師の看護業務の進捗度を知る者を探し聞き出したりする必要があるため、無駄な労力や時間を費やしてしまう。また、看護師が常に同じ場所に留まって看護業務を行うとは限らない。そのため、他の看護師が現在居る場所を推測することができたとしても、特定することができないため、他の看護師等を探し出すのは比較的困難である。そのため、自らが遂行する看護業務の進捗度が、他の看護師に比べて、進んでいるか遅れているかの比較を行うことも困難である。このような状況は、順番に看護業務を行う共同看護業務についても同様である。また、共同看護業務が全体としてどの程度進んでいるかを知ることもできない。
【０１０９】
そこで、この実施例では、共同看護業務を遂行する各看護師の現在位置およびその看護業務の進捗度を、その共同看護業務に関わる各看護師に提示し、円滑に看護業務を進行できるようにしてある。また、必要に応じて自身が関わる共同看護業務全体の進捗度を確認できるようにしてある。以下、具体的に説明する。
【０１１０】
たとえば、或る共同看護業務に関わる或る看護師が装着する端末１６から、その或る共同看護業務についての情報提示の要求がサーバ１２に送信されると、サーバ１２は、共同看護業務ＤＢ３４に記録される共同看護業務の進捗度の情報を、情報提示の要求のあった端末１６に送信する。ここで、共同看護業務の進捗度の情報は、共同看護業務に関わる複数の看護師の識別情報（看護師ＩＤまたは看護師名）、各看護師の現在位置、各看護師の共同看護業務についての進捗度および当該共同看護業務の種類の情報などを意味する。ただし、共同看護業務の種類の情報は、当該共同看護業務における看護業務が各看護師において手順を踏む内容であるかどうかを示す情報である。端末１６は、サーバ１２から送信される共同看護業務の進捗度の情報に従って、ＬＣＤ４８に情報提示画面（３００−５００，８００−１３００）を表示する。
【０１１１】
ただし、図１１および図１２は、順番に関係無く並列的に各看護師が看護業務を遂行できる共同看護業務（以下、「非順次共同看護業務」ということがある。）についての情報提示画面（３００−５００，８００，９００）であり、図２５および図２６は、順番に従って各看護師が看護業務を遂行する必要のある共同看護業務（以下、「順次共同看護業務」ということがある。）についての情報提示画面（１０００−１３００）である。
【０１１２】
図１１は、ＬＣＤ４８に表示される情報提示画面の一例を示す図解図である。図１１に示すように、ＬＣＤ４８に表示された情報提示画面３００では、病院（病棟）のような作業場所についての地図（マップ）３０２が表示され、そのマップ３０２上に、人型のアイコン３０４、３０６および３０８が表示される。このアイコン３０４−３０８は、或る共同看護業務に関わる看護師に対応し、看護師の現在位置に対応するマップ３０２上の位置に表示される。つまり、アイコン３０４に対応する看護師は、現在、看護師詰所に存在し、アイコン３０６に対応する看護師は、現在、４５１号室（病室）に存在し、そして、アイコン３０８に対応する看護師は、現在、南側通路に存在する。
【０１１３】
なお、この実施例では、端末１６を使用する看護師に対応する人型のアイコンに斜線を付して、たとえば、色が付されているように表現してあるが、各アイコンに色を付すようにしてもよい。かかる場合には、人型のアイコンを塗りつぶしている量（範囲）の大きさで、当該看護師の全看護業務のうち消化した看護業務の割合を表現することができる。また、塗りつぶしている色によって、遂行中の看護業務の重要度（危険度）などを表現することもできる。以下、この実施例において同じである。
【０１１４】
また、情報提示画面３００では、３つのアイコン３０４，３０６および３０８の表示位置を頂点とする三角形３２０が表示される。この三角形３２０は、共同看護業務に関わる個々の看護師の看護業務の進捗度を示すために用いられる。図面では分かり難いが、アイコン３０４，３０６および３０８の重心（中心）が、現在位置に応じて決定される表示位置（ＬＣＤ４８上の表示座標）に重なるように、アイコン３０４，３０６および３０８は配置（描画）される。また、三角形３２０は、アイコン３０４，３０６および３０８の重心を結ぶことにより、生成される。図面の都合上、三角形３２０の内部には、太さおよび密度が異なるように、斜線が付されているが、この斜線によって表現される濃度の違いが、アイコン３０４，３０６および３０８に対応する看護師のそれぞれの共同看護業務の進捗度を表現してある。ただし、実際には、三角形３２０の内部を任意の色で塗りつぶし、その色の濃淡、明暗または強弱（色調）を変化させるようにしてある。また、モノクロで塗りつぶしても良く、この場合には、その輝度（明暗）が変化される。この実施例では、進捗度が高ければ色が濃く（暗く）され、進捗度が低ければ色が薄く（明るく）される。ただし、これらは逆にしてもよい。以下、図形の内部を塗りつぶす場合において同様である。
【０１１５】
この情報提示画面３００では、アイコン３０４，３０６および３０８に対応する３人の看護師が或る共同看護業務を遂行しており、アイコン３０６およびアイコン３０８に対応する看護師はアイコン３０４に対応する看護師よりも、その或る共同看護業務について分担された看護業務の進捗度が高いことが分かる。したがって、たとえば、この情報提示画面３００を見て、アイコン３０６および３０８に対応する看護師は、アイコン３０４に対応する看護師に分担された看護業務を手伝うことができる。このとき、各看護師の現在位置はマップ３０２上に示されているため、容易に他の看護師を見つけ、その場所に向かうことができる。または、各看護師の上司は、アイコン３０６および３０８に対応する看護師以外の看護師にアイコン３０４に対応する看護師を手伝うように指示することができる。
【０１１６】
図１２（Ａ）および図１２（Ｂ）は、情報提示画面の他の例を示す図解図である。図１２（Ａ）は、共同看護業務を２人の看護師で遂行する場合の情報提示画面４００であり、図１２（Ｂ）は、共同看護業務を６人の看護師で遂行する場合の情報提示画面５００である。図１２（Ａ）に示す情報提示画面４００では、マップ４０２が表示され、そのマップ４０２上に、人型のアイコン４０４ａ，４０４ｂ，４０６ａおよび４０６ｂが表示される。また、アイコン４０４ｂと４０６ｂとは、六角形４２０によって接続される。ただし、アイコン４０４ａと点線で結ばれるアイコン４０４ｂは、共同看護業務の進捗度の表示のために生成されたアイコン４０４ａの複製である。同様に、アイコン４０６ａと点線で結ばれるアイコン４０６ｂは、アイコン４０６ａの複製である。
【０１１７】
ここで、アイコン４０４ａおよび４０６ａの位置をずらして、当該アイコン４０４ａおよび４０６ａの複製物であるアイコン４０４ｂおよび４０６ｂを表示するのは、共同看護業務を行う看護師の人数が２人である場合には、アイコンを表示する位置をあらかじめ決めておく必要がある。そのため、看護師の現在位置を報知（視認させる）必要があるため、図１２（Ａ）に示したように、人型のアイコンの複製をあらかじめ決められた図形の頂点に配置し、元の人型のアイコンと対応する複製された人型のアイコンとを点線で接続するようにしてある。
【０１１８】
なお、アイコンを表示する位置をあらかじめ決めておく必要性については、後述する図２６（Ａ）の説明と併せて、詳細に説明する。また、図１２（Ａ）では、現在位置に表示されたアイコンと移動後のアイコンとを区別するために、現在位置に表示されたアイコンの外形線を点線で示してあるが、移動後のアイコンは、現在位置のアイコンの複製であるため、実際には、現在位置に表示されたアイコンと移動後のアイコンとは、同じものである。ただし、図１２（Ａ）に示すように、外形線の種類を変えるなどして、現在位置のアイコンと移動後のアイコンとを識別可能に表示するようにしてもよい。以下、同じである。
【０１１９】
この情報提示画面４００では、アイコン４０４ａに対応する看護師は、現在、休憩室に存在し、アイコン４０６ａに対応する看護師は、現在、南側通路に存在することが分かる。  また、情報提示画面４００では、アイコン４０６ａ（４０６ｂ）に対応する看護師は、アイコン４０４ａ（４０４ｂ）に対応する看護師よりも、共同看護業務で分担された看護業務の進捗度が高いことが分かる。
【０１２０】
ここで、この実施例では、非順次共同看護業務を遂行する看護師が２人の場合には、アイコン同士を線で結ぶのではなく、六角形で結ぶ（接続）するようにしてある。これは、図１３（Ａ）の情報提示画面６００に示すように、アイコン６０４ｂと６０６ｂとの間を線分６２０で結んだ場合には、共同看護業務で分担された看護業務の進捗度に応じて、その線分６２０の色調を変化させても、分かり難い（見難い）ためである。ただし、六角形に限定される必要はなく、四角形（長方形）のような他の多角形で接続するようにしてもよい。
【０１２１】
なお、この実施例では、図１３（Ａ）に示すような情報提示画面６００は表示されないが、たとえば、線分の太さをさらに太くして、実質的に六角形４２０のような多角形で２つのアイコンを接続するようにすることも可能である。
【０１２２】
このような六角形４２０の図形についての画像データは予め用意されており、ＬＣＤ４８の表示領域において、予め決定される位置（座標）に表示（描画）される。そして、ＬＣＤ４８の表示領域において、六角形４２０の最上位置の頂点と最下位置の頂点と重なる位置に、当該非順次共同看護業務を遂行する２人の看護師に対応するアイコン４０４ａ，４０６ａの複製であるアイコン４０４ｂ，４０６ｂを表示する。この実施例では、人型のアイコンと、図形の頂点との距離に応じて、複製されたアイコンの配置位置が決定される。図１２（Ａ）に示す例では、まず、アイコン４０４ａの表示位置（重心位置）と六角形４２０の最上位置の頂点との距離（説明の便宜上、「第１距離」という。）を求めるとともに、アイコン４０６ａの表示位置と六角形４２０の最上位置の頂点との距離（説明の便宜上、「第２距離」という。）を求める。次に、第１距離と第２距離とを比較し、比較した結果、短い方のアイコン（ここでは、４０６ａ）の複製であるアイコン４０６ｂを六角形４２０の最上位置の頂点にその重心が重なるように配置する。そして、アイコン４０４ａの複製であるアイコン４０４ｂを六角形４２０の最下位置の頂点にその重心が重なるように配置する。また、かかる場合には、元のアイコン４０４ａ，４０６ａの外形線を点線で表示する。そして、複製であることが分かるように、上述したように、アイコン４０４ａとアイコン４０４ｂとを点線の線分で接続し、アイコン４０６ａとアイコン４０６ｂとを点線の線分で接続するようにしてある。
【０１２３】
このように、人型のアイコンの複製を用いて共同看護業務の進捗度を表示するのは、アイコンに対応する看護師の現在位置を表示するとともに、共同看護業務における個々の看護師の看護業務の進捗度を分かり易く表示するためである。以下、同様である。
【０１２４】
なお、人型のアイコンを一意に識別可能とするために、人型のアイコンに対応する看護師の名前や識別番号などを各アイコンとともに表示するようにしてもよい。また、人型のアイコンの内部に、対応する看護師の顔写真や似顔絵などを表示するようにしてもよい。
【０１２５】
また、図１２（Ｂ）に示すように、情報提示画面５００では、マップ５０２が表示され、そのマップ５０２上に、人型のアイコン５０４ａ，５０４ｂ，５０６ａ，５０６ｂ，５０８ａ，５０８ｂ，５１０ａ，５１０ｂ，５１２ａ，５１２ｂ，５１４ａおよび５１４ｂが表示される。また、アイコン５０４ｂ，５０６ｂ，５０８ｂ，５１０ｂ，５１２ｂおよび５１４ｂの重心を、１つの閉領域を形成するように結んだ六角形（ここでは、正六角形）５２０が表示される。ただし、アイコン５０４ａ，５０６ａ，５０８ａ，５１０ａ，５１２ａおよび５１４ａは、対応する看護師の現在位置を示す。また、アイコン５０４ａ，５０６ａ，５０８ａ，５１０ａ，５１２ａおよび５１４ａのそれぞれと点線で結ばれるアイコン５０４ｂ，５０６ｂ，５０８ｂ，５１０ｂ，５１２ｂおよび５１４ｂは、上述した場合と同様に、アイコン５０４ａ，５０６ａ，５０８ａ，５１０ａ，５１２ａおよび５１４ａの複製である。
【０１２６】
ここで、アイコン５０４ａ，５０６ａ，５０８ａ，５１０ａ，５１２ａおよび５１４ａの位置をずらして、当該アイコン５０４ａ，５０６ａ，５０８ａ，５１０ａ，５１２ａおよび５１４ａの複製物であるアイコン５０４ｂ，５０６ｂ，５０８ｂ，５１０ｂ，５１２ｂおよび５１４ｂを表示するのは、図１３（Ｂ）に示す情報提示画面７００を見て分かるように、看護師の現在位置に対応して表示されたアイコン７０４，７０６，７０８，７１０，７１２および７１４を、それぞれの重心を結んで閉領域を生成すると、それによって形成された図形の形状がいびつであり（歪んでおり）、看護業務の進捗度に応じてその内部の色調を変化させるのが困難であり、色調を変化させたとしても見難いと考えられるからである。たとえば、アイコン７０４，７０６，７０８，７１０，７１２および７１４を結んで形成される図形のうち、アイコン７１０が表示される頂点付近では、角が尖った形状となり、色を付する範囲（領域）が狭いため、色調を変化させ難く、色調を変化させたとしても視認し難いと思われる。
【０１２７】
したがって、この実施例では、看護師の現在位置に対応する位置に人型のアイコンを配置し、各人型のアイコンの重心を線で結んで１つの閉領域すなわち図形を生成した際に、その図形の形状がいびつである場合には、図形のテンプレート（図２９参照）を用いて、図形の形状を整形するようにしてある。ただし、看護師の現在位置を報知する（視認させる）必要があるため、図１２（Ｂ）に示したように、人型のアイコンの複製を整形後の図形の頂点に配置し、上述したように、元の人型のアイコンと対応する複製された人型のアイコンとを点線で接続するようにしてある。
【０１２８】
ここで、図１２（Ｂ）に示すような図形を生成する方法、図形の形状がいびつかどうかを判断する方法、図形の形状を整形する方法および整形された図形の頂点に複製された人型のアイコンを配置する方法について順番に説明することにする。
【０１２９】
まず、人型のアイコンの重心を線で結んで図形を描画する方法について説明する。図１４（Ａ）を参照して、点Ｐ，点Ｑ，点Ｒ，点Ｓは、共同看護業務に関わる４人の看護師のそれぞれの現在位置に対応する人型のアイコンの表示位置（重心）を示す。なお、図１４（Ａ）では、分かり易く示すために、人型のアイコンは省略してある。以下、同様である。
【０１３０】
図形を生成する場合には、まず、基準点が決定される。この実施例では、ＬＣＤ４８の表示領域の原点は、その左上に設定され、この表示領域の原点からの距離が最も近い重心（ここでは、点Ｐ）が最初の基準点として決定される。ただし、表示領域の水平方向がＸ軸方向であり、表示領域の垂直方向がＹ軸方向である。また、図面において、右方向がＸ軸のプラス方向であり、下方向がＹ軸のプラス方向である。さらに、簡単のため、表示領域を用いて説明してあるが、実際には、図示しないＲＡＭ（ＶＲＡＭ）上に、表示領域に対応する描画領域（後述するレイヤ）が設けられ、当該描画領域にＬＣＤ４８に表示するための画像（画像データ）が生成されるのである。以下、同様である。さらに、最初の基準点の決定方法は、これに限定される必要はなく、当該端末１６を使用する看護師に対応するアイコンの重心（表示位置）が最初の基準点として決定してもよい。または、原点からラスタスキャンした場合に、最初に検出されるアイコンの重心（表示位置）を、最初の基準点として決定してもよい。
【０１３１】
最初の基準点が決定されると、この基準点と接続される点（他の重心）が探索される。ここでは、基準点と接続される点を探索する場合に、ローカル座標平面が適用される。このローカル座標平面とは、基準点毎に接続される点を探索する場合に用いられる座標平面であり、表示領域の座標平面（グローバル座標平面）とは異なる。
【０１３２】
図１４（Ｂ）を参照して、基準点がローカル座標平面の原点とされる。ただし、ローカル座標平面の水平方向がｘ軸方向であり、ローカル座標平面の垂直方向がｙ軸方向である。また、ローカル座標平面において、右方向がｘ軸のプラス方向であり、上方向がｙ軸のプラス方向である。よって、ローカル座標平面において、ｘ軸がプラス方向であり、ｙ軸がプラス方向で示される座標範囲が第１象限である。また、ｘ軸がマイナス方向であり、ｙ軸がプラス方向で示される座標範囲が第２象限である。さらに、ｘ軸がマイナス方向であり、ｙ軸がマイナス方向で示される座標範囲が第３象限である。そして、ｘ軸がプラス方向であり、ｙ軸がマイナス方向で示される座標範囲が第４象限である。
【０１３３】
基準点（原点）からｘ軸に平行に左方向に延びる所定長さの線分を基準の線分とし、この基準の線分を基準点を中心に左方向（反時計周り）に回転させた場合に、当該基準の線分が最初に接触する点が基準点と接続されるべき点であるとして、探索処理が終了される。
【０１３４】
ただし、この実施例では、基準の線分の長さは、ＬＣＤ４８の表示領域の対角線の長さである。これは、ＬＣＤ４８の表示領域内のいずれの点が基準点として選択された場合であっても、他の点を探索可能とするためである。また、ここでは、簡単のため、基準の線分が最初に接触した点が基準点と接続されるべき点であるとして、探索処理を終了するようにしてあるが、当該最初に接触した点が既に他の２点と接続されている場合には、当該最初に接触した点にはこれ以上線分を接続することができないため、探索処理を終了せずに、基準の線分をさらに回転させて、次に接触する点を探すようにしてある。
【０１３５】
ただし、実際には、簡単のため、基準点を原点とするように各点の座標を平行移動し、基準点（原点）を通る一次関数を回転させ、ローカル座標平面の原点を中心とする４つの領域（第１象限、第２象限、第３象限、第４象限）に分けて、一次関数と接触する点を探索する。具体的には、数１で示される一次関数の傾きｔａｎαの角度αを所定角度（この実施例では、０．０１度）ずつ増加させて、一次関数を一回転（０度≦α＜３６０度）させる。ただし、ｈｘはｘ軸方向の変数であり、ｈｙはｙ軸方向の変数である。また、初期状態において、一次関数はｘ軸上の直線であり、角度αは、図１４（Ｂ）に示すように、原点を中心として左方向（反時計回り）に所定角度ずつ増加する。
【０１３６】
［数１］
ｈｙ＝ｈｘ×ｔａｎα（０度＜α＜１８０度）
ｈｙ＝ｈｘ×（−ｔａｎα）（１８０度＜α＜３６０度）
α＝０，１８０度のとき、ｙ＝０
α＝９０，２７０度のとき、ｘ＝０
【０１３７】
ただし、ローカル座標平面のｘ軸のプラス方向をα＝０度とすると、図１４（Ｂ）からも分かるように、基準の線分はｘ軸のマイナス方向（α＝１８０度）であり、その基準の線分を反時計周りに一周回転させるようにするため、αを０度から所定角度ずつ増加させて一次関数を回転させるが、第３象限、第４象限、第１象限および第２象限の順番で、一次関数と接触する点を探索するようにしてある。
【０１３８】
具体的には、αが０度から９０度まで変化する際には、基準点を原点として第３象限に存在する点を探索することになるため、一次関数と接触する点のｘ座標およびｙ座標がいずれも負の数である場合に、基準の線分と接触する点を見つけたことになる。また、αが９０度から１８０度まで変化する際には、基準点を原点として第４象限に存在する点を探索することになるため、一次関数と接触する点のｘ座標が正の数でｙ座標が負の数である場合に、基準の線分と接触する点を見つけたことになる。さらに、αが１８０度から２７０度まで変化する際には、基準点を原点として第１象限に存在する点を探索することになるため、一次関数と接触する点のｘ座標およびｙ座標がいずれも正の数である場合に、基準の線分と接触する点を見つけたことになる。さらにまた、αが２７０度から３６０度まで変化する際には、基準点を原点として第２象限に存在する点を探索することになるため、一次関数と接触する点のｘ座標が負の数でｙ座標が正の数である場合に、基準の線分と接触する点を見つけたことになる。
【０１３９】
ただし、α＝０度（３６０度も同じ。）の場合の探索範囲は第３象限に含まれ、α＝９０度の場合の探索範囲は第４象限に含まれ、α＝１８０度の場合の探索範囲は第１象限に含まれ、そして、α＝２７０度の場合の探索範囲は第２象限に含まれるものとする。
【０１４０】
この実施例では、基準の線分と接触する点すなわち基準点と接続されるべき点を検出すると、当該基準点の座標と当該接続されるべき点の座標とを関連付けてメモリ４２に記憶する。ただし、ここでメモリ４２に記憶する座標は、基準点を原点として平行移動する前の座標すなわちサーバ１２からの共同看護業務の進捗度の情報に従って共同看護業務に関わる各看護師の現在位置に従って対応するアイコンを配置した際の座標である。
【０１４１】
また、基準点と接続されるべき点を検出すると、図形が完成したかどうかを判断し、図形が完成していない場合には、その接続されるべき点を次の基準点として決定し、上述したような探索処理を実行する。このような処理が繰り返し行われる。そして、図形が完成したと判断すると、完成した図形を描画して、つまりメモリ４２に互いに関連づけて記憶してある座標同士を線分で接続して、図形の描画処理を終了する。
【０１４２】
ただし、この実施例では、図形が完成したかどうかは、メモリ４２に記憶された座標のうち、最初の基準点として選択された点の座標を、他の点を基準点として探索した結果、接続されるべき点として検出したときに図形が完成したと判断するようにしてある。または、メモリ４２に互いに関連付けて記憶された座標が、それぞれ２つずつ存在する場合に、図形が完成したと判断することができる。
【０１４３】
したがって、たとえば、図１４（Ａ），（Ｃ），図１５（Ａ），（Ｂ）を参照して分かるように、図１４（Ａ）に示すように、最初の基準点として点Ｐが選択されると、探索処理によって点Ｑが接続されるべき点として見つけられる。すると、点Ｐと点Ｑとの座標が互いに関連付けられてメモリ４２に記憶される。このとき、上述した方法に従って図形が完成したかどうかが判断される。図１４（Ａ）に示す例では、図形は完成していないため、次の探索処理が実行される。
【０１４４】
点Ｐと接続されるべき点Ｑを見つけられると、図１４（Ｃ）に示すように、点Ｑを次の基準点として探索処理が実行される。探索処理の方法は、上述したとおりであるため、重複した説明は省略する。以下、同様である。この探索処理の結果として、点Ｑと接続されるべき点Ｒが見つけられる。すると、点Ｑと点Ｒとの座標が互いに関連付けられてメモリ４２に記憶される。そして、図形が完成したかどうか判断される。図１４（Ｃ）に示す例では、図形は完成していないため、さらに次の探索処理が実行される。
【０１４５】
点Ｑと接続されるべき点Ｒが見つけられると、図１５（Ａ）に示すように、点Ｒを次の基準点として探索処理が実行される。この探索処理の結果として、点Ｒと接続されるべき点Ｓが見つけられる。すると、点Ｒと点Ｓとの座標が互いに関連付けられてメモリ４２に記憶される。そして、図形が完成したかどうか判断される。図１５（Ａ）に示す例では、図形は完成していないため、さらに次の探索処理が実行される。
【０１４６】
点Ｒと接続されるべき点Ｓが見つけられると、図１５（Ｂ）に示すように、点Ｓを次の基準点として探索処理が実行される。この探索処理の結果として、点Ｓと接続されるべき点Ｐが見つけられる。すると、点Ｓと点Ｐとの座標が互いに関連付けられてメモリ４２に記憶される。そして、図形が完成したかどうかが判断される。ここで、最初に基準点として選択された点Ｐが、他の点Ｓを基準点とした場合に、接続されるべき点として検出されるため、図形が完成したと判断される。
【０１４７】
図形が完成したと判断されると、メモリ４２を参照して、互いに関連づけられた座標同士を実線の線分で接続する。したがって、完成された図形が描画される。つまり、図１４（Ａ），図１４（Ｃ）から図１５（Ｂ）までを参照して、順次基準点を更新しながら探索処理を実行した結果として、図１６に示すように、点Ｐ，点Ｑ，点Ｒ，点Ｓを頂点とする四角形が描画されるのである。
【０１４８】
なお、図１４（Ｃ），図１５（Ａ）および図１５（Ｂ）では、分かり易くするために、基準点と接続されるべき点を見つけると、直ぐに、線分で接続するように示してあるが、実際には、上述したように、図形が完成したと判断された後に、図形が描画される。ただし、基準点と接続されるべき点を見つけると、直ぐに、線分で接続するようにしてもよい。
【０１４９】
このようにして図形が描画されるが、上述したような探索処理を実行した場合には、たとえば、図１７（Ａ）に示すように、点Ｐ，点Ｑ，点Ｒ，点Ｓ，点Ｔが配置されると、図形を描画すると、点Ｔが点Ｐ，点Ｑ，点Ｒ，点Ｓを頂点する四角形の内部に存在することとなる。したがって、点Ｐ，点Ｑ，点Ｒ，点Ｓ，点Ｔのすべてを頂点とする図形すなわち五角形を描画することができない。
【０１５０】
このような場合には、この実施例では、図２９に示すような座標テーブルに従って、図形を描画し直すようにしてある。ここで、座標テーブルについて簡単に説明すると、この座標テーブルは、図形に応じた頂点の数だけ座標が記述される。この座標は、それに対応する図形を描画する際に、当該図形の重心ないし中心が、ＬＣＤ４８の表示領域の中心と一致するように予め決定される。当然のことながら、座標を決定する際に、図形の大きさは、ＬＣＤ４８の表示領域の大きさに応じて決定されている。座標テーブルに従って描画する図形の種類は、共同看護業務に関わる看護師の数（人数）によって決定される。これは、図形を用いて、各看護師の共同看護業務における看護業務の進捗度を可視化するためである。
【０１５１】
したがって、図１７（Ａ）に示す場合には、共同看護業務に関わる看護師の数は「５」であり、座標テーブルにおいて、図形の種類として正五角形が決定され、これに対応して、座標１，座標２，座標３，座標４および座標５に記述される座標位置に点が描画され、その後、１つの閉領域を描画するように線分が描画される。この実施例では、座標テーブルにおいて、隣接する座標同士を線分で結ぶようにしてある。ただし、左端の座標１は、実際に座標が記述された座標の欄のうち右端の欄に記述された座標とも線分で接続される。このため、図１７（Ｂ）に示すように、座標１−座標５に従う点が描画され、さらに、座標１と座標２、座標２と座標３、座標３と座標４、座標４と座標５、座標５と座標１のそれぞれが線分で接続され、正五角形が描画される。ただし、座標テーブルにおいて隣接する座標同士を線分で結ぶため、座標に従う点は描画しなくてもよい。
【０１５２】
ここで、図１７（Ｂ）から分かるように、座標テーブルに従って図形を描画し直した場合には、看護師の現在位置に対応する座標と、当該図形の頂点の座標とは異なる位置となってしまう。なお、一部の点においては、偶然に一致する場合もあり得る。したがって、この実施例では、共同看護業務における各看護師の看護業務の進捗度を、図形を用いて可視化するため、看護師の現在位置に対応して表示されている人型のアイコンを移動させて、移動後のアイコンの重心が図形の頂点に一致するようにしてある。ただし、看護師の現在位置を表示する必要があるため、実際には、人型のアイコンの複製を図形の頂点に移動するようにしてある。
【０１５３】
ただし、この実施例では、移動する候補としての現在位置に対応して描画された人型のアイコンの重心（表示位置）の座標のそれぞれと、対象となる頂点の座標との距離をそれぞれ算出し、距離が最短となる人型のアイコンの複製を対象となる頂点に移動するようにしてある。ただし、すでに複製された人型のアイコンが図形の頂点に移動されている場合には、移動する候補から除外される。また、対象となる頂点は、たとえば、座標テーブルの左端に記述された座標（この実施例では、座標１）から順番に選択される。
【０１５４】
したがって、図１７（Ｂ）に示す例では、対象となる頂点は座標１に従う点に決定され、移動する候補の人型のアイコンとしては、点Ｐ，点Ｑ，点Ｒ，点Ｓ，点Ｔに描画された人型のアイコンである。したがって、点Ｐ−点Ｔのそれぞれと、座標１に従う頂点との距離が算出される。詳細な説明は省略するが、距離は、周知の２点間の距離の公式に従って算出される。
【０１５５】
たとえば、図１８（Ａ）からも分かるように、座標１に従う頂点に最も近いのは、点Ｔであり、点Ｔの位置に描画されている人型のアイコンの複製が座標１に従う頂点に移動される。このとき、人型のアイコンの複製が表示される頂点を、移動後の点Ｔ´として当該人型のアイコン（または点Ｔ或いは看護師ＩＤ）に対応付けてメモリ４２に記憶するようにしてある。以下、同様である。
【０１５６】
次に、図１８（Ｂ）に示すように、対象となる頂点は座標２に従う点に決定され、移動される候補の人型のアイコンとしては、点Ｐ，点Ｑ，点Ｒ，点Ｓに描画された人型のアイコンである。上述したように、移動される候補の人型のアイコンの重心（点Ｐ−点Ｓ）のそれぞれと、座標２に従う頂点との距離が算出される。
【０１５７】
図１８（Ｂ）からも分かるように、座標２に従う頂点に最も近いのは、点Ｐであり、点Ｐの位置に描画されている人型のアイコンの複製が座標２に従う頂点に移動される。このとき、点Ｐの位置に描画された人型のアイコンの複製が表示される頂点が、移動後の点Ｐ´として当該人型のアイコンに対応付けてメモリ４２に記憶される。
【０１５８】
同様にして、続いて、図１９（Ａ）に示すように、対象となる頂点が座標３に従う点に決定され、移動候補（点Ｑ−点Ｓに描画された人型のアイコン）のうち、点Ｑに描画された人型のアイコンの複製が座標３に従う頂点に移動される。このとき、点Ｑに描画された人型のアイコンの複製が表示される頂点が、移動後の点Ｑ´として当該人型のアイコンに対応付けてメモリ４２に記憶される。
【０１５９】
さらに、図１９（Ｂ）に示すように、対象となる頂点が座標４に従う点に決定され、移動候補（点Ｒ，点Ｓに描画された人型のアイコン）のうち、点Ｒに描画された人型のアイコンの複製が座標４に従う頂点に移動される。このとき、点Ｒに描画された人型のアイコンの複製が表示される頂点が、移動後の点Ｒ´として当該人型のアイコンに対応付けてメモリ４２に記憶される。
【０１６０】
そして、図２０（Ａ）に示すように、対象となる頂点が座標５に従う点に決定されるが、移動候補は点Ｓに描画された人型のアイコンだけなので、そのまま当該人型のアイコンの複製が座標５に従う頂点に移動される。このとき、点Ｓに描画された人型のアイコンの複製が表示される頂点が、移動後の点Ｓ´として当該人型のアイコンに対応付けてメモリ４２に記憶される。
【０１６１】
このようにして、座標テーブルに従う図形が描画された場合には、人型のアイコンの複製をその図形の頂点に移動させるようにしてある。したがって、図１２（Ｂ）に示したような情報提示画面５００を表示することができるのである。ただし、上述したように、移動前の（現在位置に対応する位置の）人型のアイコンと、移動後の複製された人型のアイコンとの関係を分かり易く示すために、この実施例では、移動前の人型のアイコンと、移動後の複製された人型のアイコンとは、点線で接続される。
【０１６２】
したがって、図１７（Ｂ）に示したような正五角形を座標テーブルに従って描画した場合には、図２０（Ｂ）に示すように、移動前の人型のアイコンと移動後の複製された人型のアイコンとが点線で接続される。つまり、点Ｐと点Ｐ´、点Ｑと点Ｑ´、点Ｒと点Ｒ´、点Ｓと点Ｓ´、点Ｔと点Ｔ´がそれぞれ点線で接続されるのである。
【０１６３】
また、図１４−図１６を参照して説明した場合のように、座標テーブルによらず図形を描画した場合には、図形がいびつな形状であるかどうかが判断される。これは、仮に図１３（Ｂ）に示したような情報提示画面７００が描画された場合には、上述したように、図形の内部の色の色調を変化させ難く、色調を変化させたとしても、看護業務の進捗度が分かり難いという問題があり、描画した図形がいびつである場合には、上述したように座標テーブルに従って図形を描画し直すためである。
【０１６４】
なお、座標テーブルに従って図形を描画し直す方法および人型のアイコンの移動については、上述したとおりであるため、重複した説明は省略する。
【０１６５】
この実施例では、描画された図形（多角形）の各頂点の内角の大きさが所定の閾値以下であるか否かを判断することにより、図形がいびつであるか否かを判断する。ただし、頂点の数で、図形（多角形）の内角の大きさは異なるため、いびつであるか否かの判断に用いる閾値は、描画された図形に応じて適宜算出される。具体的には、閾値は数２に従って算出される。
【０１６６】
【数２】
2009230535.tif 000003
【０１６７】
ただし、ｎは描画された図形の角（頂点）の数であり、３以上の自然数である。この実施例では、閾値は、内角の和を頂点の数ｎで割った値に定数（１．５）を掛けて求めるようにしてある。これは、図１３（Ｂ）の情報提示画面７００からも分かるように、内角が１８０度を超える角が有る場合に、描画された図形の形状がいびつであると考えられるためであり、１８０度に近い値を閾値として設定するためである。したがって、定数の値はこれに限定される必要はなく、試験等により得られた結果から、適切な値を設定することができる。また、定数は、ｎの値に応じて可変的（選択的）に設定することもできる。
【０１６８】
なお、各頂点の角度から標準偏差を求め、標準偏差の値によって図形がいびつであるか否かを判断するようにしてもよい。また、七角形や十一角形などでは、内角を角（頂点）の数ｎで割ると、割り切れない場合がある。かかる場合には、小数点以下を切り捨てたり、切り上げたり、四射五入したりなどして、閾値は補正される。
【０１６９】
さらに、座標テーブルを用いずに図形が描画された場合には、図形の位置または図形の大きさ或いはそれらの両方が調整される。これは、情報提示画面を見易くするためである。たとえば、図形が小さすぎる場合には色調の変化が分かり難く、逆に、図形が大きすぎる場合には後述する共同看護業務の全体の進捗度を表示しても分かり難いと言う問題があるからである。したがって、図形の位置をＬＣＤ４８の表示領域の中央またはほぼ中央に移動し、さらに、適切な大きさに変更するようにしてある。
【０１７０】
具体的には、まず、描画された図形の重心が、ＬＣＤ４８の表示領域の中心と一致するように、図形の位置が移動（平行移動）される。詳細な説明は省略するが、描画された図形の重心の座標は、図形の頂点の座標を用いて、既知のアルゴリズムによって算出することができる。さらに、図形の大きさが調整される。ただし、数３および数４のいずれの関係も満たさない場合には、図形の大きさは妥当であると判断され、その大きさは調整されない。ただし、数３において、閾値ＳＭＡＸは図形の面積Ｓの最大値を規定する閾値である。また、数４において、閾値ＳＭＩＮは図形の面積Ｓの最小値を規定する閾値である。これらの閾値ＳＭＡＸ，ＳＭＩＮは、予め試験等によって経験的に設定される。
【０１７１】
なお、詳細な説明は省略するが、図形の面積Ｓは、図形の重心から各頂点に線分を描画した場合に複数の三角形に分割されるため、各三角形の面積を求めてそれらを合計することにより、求められる。
【０１７２】
［数３］
面積Ｓ＞閾値ＳＭＡＸ
【０１７３】
［数４］
面積Ｓ＜閾値ＳＭＩＮ
【０１７４】
ここで、数３を満たす場合には、つまり図形が大き過ぎれば、図形の大きさが縮小される。一方、数４を満たす場合には、つまり図形が小さすぎれば、図形の大きさが拡大される。この実施例では、重心と各頂点との距離を一定の割合で短縮したり、延長したりするように、頂点を移動させるようにしてある。
【０１７５】
たとえば、図２１（Ａ）に示すような、六角形が描画され、図形が大き過ぎると判断されたと仮定する。ただし、点Ｕ１，点Ｕ２，点Ｕ３，点Ｕ４，点Ｕ５，点Ｕ６は六角形の各頂点であり、点Ｇは六角形の重心である。ただし、図２１に示す例では、図形の位置は既に移動されているものとする。
【０１７６】
次に、図２１（Ｂ）に示すように、各頂点Ｕ１，Ｕ２，Ｕ３，Ｕ４，Ｕ５，Ｕ６と重心Ｇとを結ぶ線分を定義する。さらに、各頂点Ｕ１，Ｕ２，Ｕ３，Ｕ４，Ｕ５，Ｕ６から重心Ｇの方向に、各線分が一定の割合（たとえば、１０％）で短くされるように、線分上を移動される。図２１（Ｂ）では（図２１（Ｃ）も同じ。）では、移動後の各頂点を、各頂点Ｕ１，Ｕ２，Ｕ３，Ｕ４，Ｕ５，Ｕ６に対応付けて、点Ｕ１′，点Ｕ２′，点Ｕ３′，点Ｕ４′，点Ｕ５′，点Ｕ６′で示してある。
【０１７７】
そして、図２１（Ｃ）に示すように、移動後の頂点Ｕ１′，点Ｕ２′，点Ｕ３′，点Ｕ４′，点Ｕ５′，点Ｕ６′を線分で接続することにより、六角形が描画される。したがって、図２１（Ａ）に示した六角形の大きさが縮小される。図形が縮小されると、再度、数３および数４を満たすかどうかを判断し、いずれも満たさなくなるまで、上記の縮小処理が繰り返される。
【０１７８】
具体的な説明は省略するが、図形を拡大する場合には、各頂点と重心とを結ぶ線分が一定の割合で延長されるように、各頂点と重心とを通る直線上を、各頂点が重心から遠ざかるように、各頂点が移動される。
【０１７９】
このようにして図形が描画され（描画し直され）、さらに、場合によっては、図形の位置および大きさが調整されると、各看護師の看護業務の進捗度に応じて図形の内部が所定の色で塗りつぶされる。ただし、上述したように、色の色調が看護業務の進捗度に応じて変化される。この実施例では、描画された図形の任意の点を基準点として選択し、当該基準点と、当該図形を構成する他の頂点および他の頂点を結ぶ辺上の点のそれぞれとの２点間の色の輝度を補間法を用いて決定（算出）するようにしてある。
【０１８０】
たとえば、図２２（Ａ）に示すように、描画された図形が四角形である場合における色の輝度を決定する方法について説明する。図２２（Ａ）において、点Ｉ，II，点III，点IVは、人型のアイコンの重心を示す点すなわち表示位置である。なお、図２２（Ａ）（図２２（Ｂ），（Ｃ）も同じ。）においては、分かり易く示すために、人型のアイコンは省略してある。また、ここでは、点Ｉに対応する看護師の看護業務（共同看護業務における看護業務）の進捗度は１００％であり、点IIに対応する看護師の看護業務の進捗度は５０％であり、点IIIに対応する看護師の看護業務の進捗度は３０％であり、そして、点IVに対応する看護師の看護業務の進捗度は７０％である。ここでは、色の成分を輝度信号（Ｙ）と、輝度信号と青色成分の差（Ｕ）、輝度信号と赤色成分の差（Ｖ）で表わし、輝度（Ｙ）を変化させることにより、看護業務の進捗度の違いを単一色のグラデーションで表現するようにしてある。
【０１８１】
たとえば、基準点を点Ｉに決定し、基準点Ｉと点IIとの間、基準点と点IIIとの間、基準点Ｉと点IVとの間、点IIと点IIIとの間および点IIIと点IVとの間をすべて等間隔に分割する。図２２（Ａ），（Ｂ），（Ｃ）では、或る程度の距離を隔てて等間隔に分割してあるが、実際には、ＬＣＤ４８の数ドット程度の間隔で分割されたり、１ドット単位で分割されたりする。
【０１８２】
したがって、所定の間隔で分割されると、上記した頂点間における輝度を補間することができる。この実施例では、看護業務の進捗度と同様に、輝度を最も明るい（０％）から最も暗い（１００％）の間で変化させるようにしてある。したがって、進捗度の数値と輝度の数値とを同じ数値で考えることができる。つまり、上記した各頂点Ｉ，II，III，IVの輝度は、１００％，５０％,３０％，７０％となる。各頂点の輝度が求められると、上記した２点間の輝度が補完される。
【０１８３】
たとえば、図２２（Ｂ）に示すように、基準点Ｉと点IVとの２点間の輝度を補間する場合について説明する。ここで、上述したように、基準点Ｉの輝度は１００％であり、点IVの輝度は７０％である。これらの輝度の違いが連続的に変化するように、２点間の輝度が決定される。上述したように所定の間隔で２点間を分割した場合に、図２２（Ｂ）に示すように、基準点Ｉと点IVとの間が１５等分されたと仮定すると、基準点Ｉと点IVとの輝度の差は３０％であるため、基準点Ｉから点IVに向かうに従って、輝度は２％ずつ減少される。同様にして、基準点Ｉと点IIとの間、基準点Ｉと点IIIとの間、点IIと点III
との間、および点IIIと点IVとの間を補間した輝度が算出される。
【０１８４】
さらに、図２２（Ｃ）に示すように、基準点Ｉから、点IIと点IIIとの間の分割された点のそれぞれ、および、点IIIと点IVとの間の分割された点のそれぞれを結ぶ線分を、等間隔に分割に、それぞれ２点間を補間するように、分割された点の輝度が算出される。
【０１８５】
このようにして、各頂点の輝度のおよび分割した点のすべての輝度が算出される。ただし、分割された点以外の点（ドット）については輝度が算出されていない。このため、この実施例では、輝度が算出されていない点については、それに隣接する輝度が算出された点の輝度の平均値を求めるようにしてある。つまり、輝度が算出されていない点の上下または左右に存在する、輝度が算出された２つの点の輝度の平均値が算出される。ただし、上下左右の４つの点の輝度の平均値を算出するようにしてもよい。また、輝度が算出されていない点が連続する場合にも、その連続する点を挟む、輝度が算出された２点（左右の２点または上下の２点）の平均値を、それらの輝度が算出されていない点の輝度として算出する。または、輝度が算出されていない点の連続数が多い場合には、上記の輝度算出された２点の輝度が線形的に変化するように、当該輝度が算出されていない点の輝度を算出するようにしてもよい。
【０１８６】
このようにして、描画された図形の内部における点の輝度を求めることができ、算出された輝度に従って所定の色で図形の内部を塗りつぶすと、図示できないが、各看護師の看護業務の進捗度および進捗度の差を視認可能に、図形の内部が単一色のグラデーションで表現される。
【０１８７】
なお、この実施例では、所定の色の輝度を変化させることにより、単一色のグラデーションによって、各看護師の看護業務の進捗度およびその差を表現するようにしてあるが、モノクロのグラデーションで表現することも可能である。さらには、色に対応して進捗度を予め定義しておき、塗りつぶす色の違いによって、各看護師の看護業務の進捗度およびのその差を視認可能にすることもできる。
【０１８８】
また、図２２（Ａ）−（Ｃ）では、描画された図形が四角形の場合についてのみ示したが、同様の方法により図形の内部の輝度を求めることにより、三角形および五角形のような他の多角形についても、単一色のグラデーションで、各看護師の看護業務の進捗度を表現することができる。
【０１８９】
さらに、この実施例では、図形の外形線（辺）の色は、たとえば、黒色とし、その輝度は変化させないようにしてある。これは、描画された図形を分かり易く示すためである。ただし、上記した所定の色を、算出した輝度に従って図形を構成する各辺に付すようにしてもよい。
【０１９０】
また、この実施例では、共同看護業務の全体の進捗度を情報として提示することもできる。たとえば、図２３（Ａ）に示すような情報提示画面８００をＬＣＤ４８に表示することができる。この情報提示画面８００では、マップ８０２が表示され、そのマップ８０２上に、共同看護業務に関わる看護師の現在位置が人型のアイコン８０４ａ，８０６ａ，８０８ａで示され、各看護師が分担する看護業務の進捗度が人型のアイコン８０４ｂ，８０６ｂ，８０８ｂを線分で結んだ三角形８２０に付された色の色調で示される。ただし、上述したように、看護師の現在位置に対応する３つのアイコン８０４ａ，８０６ａおよび８０８ａを結んで形成される三角形は数２に従って算出された閾値（ここでは、９０度）を超える内角が存在したため、上述したように、座標テーブルを用いて、正三角形を描画し、アイコン８０４ａ，８０６ａおよび８０８ａの複製であるアイコン８０４ｂ，８０６ｂおよび８０８ｂを描画した正三角形の各頂点に移動してある。さらに、共同看護業務に関わる各看護師の看護業務の進捗度に応じて色調を変えて正三角形の内部が塗りつぶされる。ただし、正三角形の描画、アイコンの移動および図形への着色については既に詳細に説明したため、重複した説明は省略する。
【０１９１】
さらに、情報提示画面８００では、共同看護業務の全体の進捗度が円グラフ８３０で示される。この実施例の円グラフ８３０では、円の内部が三角形８２０の内部とは異なる色（半透明）で着色される。ただし、共同看護業務の全体の進捗度に応じて、着色していない扇状の領域が決定される。具体的には、サーバ１２は、共同看護業務ＤＢ３４を参照して、該当する共同看護業務についての共同看護業務の進捗の情報から当該共同看護業務に関わる看護師に対応して記録された各進捗を読み出し、図５（Ａ）で説明したように、各進捗の欄に記録されている各看護師の看護業務の総数の合計のうち、各看護師のすでに完了した看護業務の数の合計の割合を算出することにより求める。したがって、たとえば、共同看護業務の開始前では、円グラフ８３０の円の内部はすべて塗りつぶされており、共同看護業務が進行するにつれて、着色されていない領域が次第に大きくされ、共同看護業務が終了すると、円の内部は着色されていない状態となる。ただし、共同看護業務の開始前には、円グラフ８３０の円の内部を着色せずに、共同看護業務が進行するにつれて、着色された領域が扇状に次第に大きくされ、共同看護業務が終了すると、円の内部全体が塗り潰されているようにしてもよい。以下、共同看護業務の全体の進捗度を円グラフによって示す場合について同様である。
【０１９２】
また、図２３（Ｂ）に示すような情報提示画面９００をＬＣＤ４８に表示することもできる。この情報提示画面９００では、マップ９０２が表示され、このマップ９０２上には、共同看護業務に関わる看護師の現在位置が人型のアイコン９０４，９０６，９０８で示されるとともに、共同看護業務の全体の進捗度の円グラフ９３０が表示される。つまり、図２３（Ａ）に示した各看護師の看護業務の進捗度を示す図形（三角形８２０）は表示されていない。このこと以外は、図２３（Ａ）に示した情報提示画８００と同様であるため、重複した説明は省略する。
【０１９３】
このように、看護師は端末１６を用いて、共同看護業務について、（１）当該共同看護業務に関わる各看護師の現在位置および各看護師が共同看護業務において担当する看護業務の進捗度を表示したり（個別進捗度表示モード）、（２）（１）の内容に加えて共同看護業務の全体の進捗度を示す円グラフを表示したり（総合進捗度表示モード）、（３）共同看護業務に関わる各看護師の現在位置および共同看護業務の全体の進捗度を示す円グラフを表示したり（全体進捗度表示モード）することができる。
【０１９４】
たとえば、図２４（Ａ）−図２４（Ｃ）に示すように、３つのレイヤ（最上層，中間層，最下層）が重ねて設けられ、仮想空間において、視点側（看護師側）に最上層が設けられ、視点から離れる方向に、中間層および最下層が順次配置される。この実施例では、図２４（Ａ）に示す最上層には、人型のアイコンとそれらを線分で接続して生成された図形とが描画される。ただし、最上層には、人型のアイコンのみが描画される場合もある。また、図２４（Ｂ）に示す中間層には、共同看護業務の全体の進捗度を示す円グラフが描画される。そして、図２４（Ｃ）に示す最下層には、マップが描画される。ただし、病院（病棟）のフロアについての全体マップの画像データは予め用意されているため、最下層には、全体マップの画像データから表示する範囲の画像データを切り取って（切り出して）、最下層に貼り付けるようにすればよい。
【０１９５】
したがって、共同看護業務についての情報提示画面を表示する場合には、看護師が端末１６を用いて、個別進捗度表示モードを選択すると、中間層が非表示され、最上層と最下層とが表示される。また、看護師が端末１６を用いて、全体進捗度表示モードを選択すると、最上層、中間層および最下層のすべてが表示されるが、最上層には、現在位置に応じた人型のアイコンのみが表示され、それらを接続した図形（個別の進捗度）は描画されない。ただし、人型のアイコンも表示しない場合には、最上層を非表示すればよい。そして、看護師が端末１６を用いて、総合進捗度表示モードを選択すると、最上層、中間層および最下層のすべてが表示される。この場合には、全体進捗度表示モードとは異なり、最上層では、人型のアイコンを接続した図形も描画される。
【０１９６】
上述した例では、共同看護業務をそれに関わる看護師が同時（並列的に）進行可能な場合について示した。しかし、共同看護業務としては、複数の看護師が順番に看護業務を遂行する必要があるものも含まれる。たとえば、入院病棟に在る１台のベッドに着目すると、（１）或る看護師Ｈが当該ベッドを使用していた患者Ｐに退院指導を行い、この患者Ｐが退院した後に、（２）他の看護師Ｊが新たな患者Ｑを受けいれるために、当該ベッドのシーツを交換するなどの準備を行う。そして、（３）さらに他の看護師Ｋが患者Ｑを当該ベッドに案内するなどの入院の手伝いを行う。かかる場合には、上述したように、看護師の現在位置に対応して人型のアイコンを表示し、アイコン同士を線分で結んで生成した図形を表示した場合には、看護業務を遂行する順番が分かり難い。このことは、共同看護業務に関わる人数が増加するにつれて顕著になると考えられる。したがって、複数の看護師が順番に看護業務を遂行する共同看護業務については、別の表示方法を考える必要がある。
【０１９７】
そこで、この実施例では、順番を分かり易くした情報提示画面を表示するようにしてある。具体的には、図２５（Ａ）に示すような情報提示画面１０００がＬＣＤ４８に表示される。この情報提示画面１０００には、マップ１００２が表示され、このマップ上１００２に人型のアイコン１００４ａ，１００４ｂ，１００６ａ，１００６ｂ，１００８ａおよび１００８ｂが表示される。ただし、アイコン１００４ｂはアイコン１００４ａの複製を図形表示のために移動したものであり、アイコン１００６ｂはアイコン１００６ａの複製を図形表示のために移動したものであり、そして、アイコン１００８ｂはアイコン１００８ａの複製を図形表示のために移動したものである。
【０１９８】
また、上述したように、図形の内部を塗りつぶしてその色調の変化によって各看護師の共同看護業務について担当する看護業務の進捗度を表示した場合には、主として図形の整形を目的として人型のアイコンの複製を移動するようにしてあるが、ここでは、図形の整形のみならず、共同看護業務を遂行する順番にアイコンを並べることを目的とするため、人型のアイコンの複製が大幅に移動される場合も有り得る。この実施例では、人型のアイコンは、対応する看護師が看護業務を遂行するべき順番にしたがって、右回りになるように、図形の頂点と重なる位置に配置される。
【０１９９】
また、図２５（Ａ）からよく分かるように、アイコン１００４ｂ，１００６ｂおよび１００８ｂは、それぞれの重心が点線の線分によって結合され、図形が形成される。ただし、図２５（Ａ）に示す情報提示画面１０００は、共同看護業務の開始前の状態を示してある。この情報提示画面１０００では、図形（ここでは、正三角形）１０２０の各辺１０２２，１０２４および１０２６が各アイコン１００４ｂ，１００６ｂおよび１００８ｂすなわち各看護師に対応し、図２５（Ｂ）に示すように、各看護師の共同看護業務の進捗度に応じて、辺１１２２，１１２４および１１２６が点線から実線に変化される。ただし、実線の端点（端末１６の使用者である看護師に対応する人型のアイコンに接続されていない方の端点）には矢印が表示され、共同看護業務の順番（進行）を分かり易くしてある。
【０２００】
たとえば、図２５（Ｂ）に示す情報提示画面１１００では、アイコン１１０４ｂ（１１０４ａ）に対応する看護師は共同看護業務について担当する看護業務をすべて終了し、アイコン１１０６ｂ（１１０６ａ）に対応する看護師は当該共同看護業務について担当する看護業務を遂行中であり、その担当分の約５０％（半分）を終了し、そして、アイコン１１０８ｂ（１１０８ａ）に対応する看護師は共同看護業務について担当する看護業務をまだ開始していないことが分かる。
【０２０１】
ここで、上述したように、サーバ１２からの共同看護業務の進捗度の情報には、当該共同看護業務の種類の情報も含まれている。この共同看護業務の種類の情報には、当該共同看護業務における各看護師の担当する看護業務が複数の手順を踏むものか否かを識別する情報が含まれている。共同看護業務における各看護師の担当する看護業務が複数の手順を踏むものである場合には、その手順の数に従って、看護師に対応する辺（１１２２，１１２４，１１２６）が手順の数で分割され、手順が終了する毎に、点線の一部が実線に変更される。このとき、人型のアイコンに接続されていない実線の端点に矢印が描画される。したがって、図２５（Ｂ）に示したような情報提示画面１１００が表示される。一方、共同看護業務における各看護師の担当する看護業務が複数の手順を踏むものでない場合には、看護師に対応する辺（１１２２，１１２４，１１２６）は分割されることは無く、看護師が看護業務を終えると、対応する辺の全部が点線から実線に変更される。
【０２０２】
また、２人の看護師が順番に看護業務を遂行する場合には、図２６（Ａ）に示すような情報提示画面１２００がＬＣＤ４８に表示される。この実施例では、共同看護業務を順番に遂行する場合には、最初に共同看護業務を行う看護師が表示画面の最上部に表示されるようにするため、共同看護業務を行う看護師が２人の場合には、縦に直線的に並ぶように、人型のアイコンが配置される。ただし、看護師の現在位置に対応するアイコン１２０４ａおよび１２０６ａが複製されたアイコン１２０４ｂおよび１２０６ｂが縦に直線的に並ぶように配置される。なお、情報提示装置１２００においても、マップ１２０２が表示され、そのマップ１２０２上に、アイコン１２０４ａ，１２０４ｂ、１２０６ａおよび１２０６ｂが表示される。また、アイコン１２０４ｂとアイコン１２０６ｂとは点線で結合される。ここで、２人の看護師が共同看護業務を順番に遂行する場合には、各看護師に対応する点線を設けなければ、各看護師の看護業務の進捗度を示すことができない。したがって、この実施例では、共同看護業務を順番に遂行する看護師が２人である場合には、２つのアイコン（１２０４ｂ，１２０６ｂ）を２本の点線で結合するようにしてある。また、点線の線分１２２０がアイコン１２０４ｂ（の看護師）に対応し、点線の線分１２２２がアイコン１２０６ｂ（の看護師）に対応する。
【０２０３】
なお、詳細な説明は省略するが、２つのアイコンの配置位置（位置座標）および２本の線分の表示位置（位置座標）は予め決定されている。
【０２０４】
さらに、複数の看護師が共同看護業務を順番に遂行する場合にも、共同看護業務の全体の進捗度を円グラフによって表示することができる。たとえば、図２６（Ｂ）に示すように、情報提示画面１３００では、マップ１３０２が表示され、そのマップ１３０２上に、アイコン１３０４ａ，１３０４ｂ，１３０６ａ，１３０６ｂ，１３０８ａおよび１３０８ｂが表示される。また、アイコン１３０４ｂ，１３０６ｂおよび１３０８ｂが点線の線分で接続され（図２５（Ａ）参照）、それによって正三角形１３２０が描画される。この正三角形１３２０を囲むように、円グラフ１３３０が描画される。このように、円グラフ１３３０を表示するのは、特に、共同看護業務がそれに関わる看護師間で看護業務（仕事）量の比率が異なる場合に、共同看護業務の全体の進捗度を知ることができ、便利だからである。ただし、共同看護業務がそれに関わる看護師間で均等ないしほぼ均等に分配されている場合には、人型のアイコンを結ぶ点線上に引かれている実線の長さによって、共同看護業務の全体の進捗度をほぼ正確に知ることもできる。
【０２０５】
なお、図２３（Ｂ）に示した場合と同様に、人型のアイコンを点線で結んだ図形を表示せずに、看護師の現在位置を示すアイコンと、円グラフのみを表示するようにしてもよい。この場合には、各看護師に対応する人型のアイコンを省略して、円グラフのみを表示するようにしてもよい。
【０２０６】
図２７は、図６に示した端末１６のメモリ４２（ＲＡＭ）のメモリマップ１５００の一例を示す図解図である。図２７に示すように、ＲＡＭは、プログラム記憶領域１５０２およびデータ記憶領域１５０４を含む。プログラム記憶領域１５０２には、通信プログラム１５１２、非順次表示モードプログラム１５１４、順次表示モードプログラム１５１６、図形の描画プログラム１５１８および円の描画プログラム１５２０などが記憶される。ただし、非順次表示モードプログラム１５１４は、個別進捗度表示プログラム１５１４ａ、全体進捗度表示プログラム１５１４ｂおよび総合進捗度表示プログラム１５１４ｃを含む。また、順次表示モードプログラム１５１６は、個別進捗度表示プログラム１５１６ａ、全体進捗度表示プログラム１５１６ｂおよび総合進捗度表示プログラム１５１６ｃを含む。
【０２０７】
通信プログラム１５１２は、端末１６が主としてサーバ１２との間で通信を行うためのプログラムである。ただし、端末１６は、通信プログラム１５１２に従って、他のコンピュータとの通信も可能である。非順次表示モードプログラム１５１４は、共同看護業務に関わる看護師がそれぞれ独立に、当該共同看護業務について担当する看護業務を遂行する場合に、図１１−図１３および図２３に示したような情報提示画面３００，４００，５００，７００，８００および９００を、当該端末１６のＬＣＤ４８に表示するためのプログラムである。個別進捗度表示プログラム１５１４ａは、個別進捗度表示モードが選択されている場合に、図１１−図１３に示したような情報提示画面３００−５００，７００を、ＬＣＤ４８に表示するためのプログラムである。また、全体進捗度表示プログラム１５１４ｂは、全体進捗度表示モードが選択されている場合に、図２３（Ｂ）に示したような情報提示画面９００を表示するためのプログラムである。さらに、総合進捗度表示プログラム１５１４ｃは、総合進捗度表示モードが選択されている場合に、図２３（Ａ）に示したような情報提示画面８００を表示するためのプログラムである。
【０２０８】
順次表示モードプログラム１５１６は、共同看護業務に関わる看護師が順番に、当該共同看護業務について担当する看護業務を遂行する場合に、図２５および図２６に示したような情報提示画面１１００，１２００および１３００を、当該端末１６のＬＣＤ４８に表示するためのプログラムである。個別進捗度表示プログラム１５１６ａは、個別進捗度表示モードが選択されている場合に、図２５（Ａ），図２５（Ｂ）および図２６（Ａ）に示したような情報提示画面１０００，１１００および１２００を表示するためのプログラムである。また、全体進捗度表示プログラム１５１６ｂは、全体進捗度表示モードが選択されている場合に、図２３（Ｂ）に示したような情報提示画面９００を表示するためのプログラムである。さらに、総合進捗度表示プログラム１５１６ｃは、総合進捗度表示モードが選択されている場合に、図２６（Ｂ）に示したような情報提示画面１３００を表示するためのプログラムである。
【０２０９】
図形の描画プログラム１５１８は、個別進捗度表示モードまたは総合進捗度表示モードが選択されている場合に、図１４〜図１６に示した手順で、図形を描画するためのプログラムである。円の描画プログラム１５２０は、全体進捗度表示モードまたは総合進捗度表示モードが選択されている場合に、図２３（Ａ）、図２３（Ｂ）および図２６（Ｂ）に示したような円グラフ（８３０，９３０，１３３０）を描画を表示するためのプログラムである。
【０２１０】
図示は省略するが、プログラム記憶領域１５０２には、通知プログラムなどの他のプログラムも記憶される。たとえば、通知プログラムは、サーバ１２や他のコンピュータから端末１６宛てに、メッセージなどが送信された場合に、音（音楽）を出力したり、振動モータを駆動させたりすることにより、或いはその両方を実行したりすることにより、メッセージが有ることを通知するためのプログラムである。
【０２１１】
図２８に示すように、データ記憶領域１５０４には、図形描画バッファ１５４２、座標対応関係バッファ１５４４が設けられる。また、データ記憶領域１５０４には、リソースＩＤデータ１５４６、座標データ１５４８、マップデータ１５５０、キャラクタ画像データ１５５２、座標テーブルデータ１５５４、移動後座標データ１５５６および描画時座標データ１５５８などが記憶されるとともに、個別フラグ１５５８、全体フラグ１５６０、総合フラグ１５６２および個別進捗度フラグ１５６４などが設けられる。
【０２１２】
図形描画バッファ１５４２は、図形を描画するためのバッファであり、図形を変形する場合も、計算結果を一時記憶する。座標対応関係バッファ１５４４は、図形を座標テーブルに従って描画し直したり、描画した図形の位置や大きさを変更したりした場合に、移動前の（現在位置）の人型のアイコンの位置座標（重心の座標）と、移動後の複製された人型のアイコンの位置座標とを対応付けて一時記憶する。たとえば、図２５に示す情報提示画面１１００においては、人型のアイコン１１０４ａの位置座標と人型のアイコン１１０４ｂの位置座標とが応付けられて一時記憶される。また、人型のアイコン１１０６ａの位置座標と人型のアイコン１１０６ｂの位置座標とが対応付けられ、人型のアイコン１１０８ａの位置座標と人型のアイコン１１０８ｂの位置座標とが対応付けられて、それぞれ一時記憶される。
【０２１３】
リソースＩＤデータ１５４６は、場所ＩＤが付加された看護師ＩＤのデータであり、サーバ１２から取得される共同看護業務の進捗度の情報に含まれる。現在位置座標データ１５４８は、サーバ１２から取得される場所ＩＤが示す場所に対応するマップ上の位置の座標データであり、具体的には、場所ＩＤが付加された看護師ＩＤに対応する看護師の現在位置に対応して、ＬＣＤ４８の表示画面のマップ上に、人型のアイコンを表示するための座標データであり、該当する看護師（看護師ＩＤ）に対応して記憶される。ただし、通常、看護師の現在位置は時間とともに変化するため、サーバ１２からの情報が取得されると、現在位置座標データ１５４８は更新される。
【０２１４】
この実施例では、場所ＩＤに応じて、看護師が存在する部屋、廊下、階段室などが分かるだけであり、部屋内の位置までは特定するようにしていないため、看護師の現在位置に対応して、当該看護師に対応して表示されるべきアイコンのマップ上の位置は予め決定してある。ただし、たとえば、看護師が所持する端末１６では、ＬＣＤ４８の表示画面は比較的小さく、マップの全体を表示することができないため、その一部を表示する際に、アイコンのマップ上の位置（座標データ）は適宜補正される。
【０２１５】
マップデータ１５５０は、この知識共有システム１０が適用される建物や会場のマップデータであり、この実施例では、病院（病棟）の或るフロアについてのマップデータである。このマップデータ１５５０は、サーバ１２の内部メモリに記憶されるマップデータと同じである。
【０２１６】
キャラクタ画像データ１５５２は、看護師のような人を表す人型のアイコンおよび各種図形（実線，点線（破線），矢印，正三角形，正方形，正五角形，正六角形など）についてのテンプレートのような各種キャラクタを生成および表示するための画像データ（ポリゴンデータ、テクスチャーデータなど）である。座標テーブルデータ１５５４は、描画された図形がいびつである場合に、図形を変形させるために用いられるテーブルであり、各頂点の座標が記憶される。
【０２１７】
ここで、図２９に示すように、座標テーブルでは、図形の欄には、描画される図形の種類が記憶される。また、座標１，座標２，座標３，…の欄には、ＬＣＤ４８の表示領域に対応する図形を描画（表示）する際の各頂点の座標が記憶される。したがって、対応する図形の頂点に相当する数の座標が記憶されるのである。
【０２１８】
ただし、縦長の六角形は、共同看護業務に関わる看護師が２人の場合に情報提示画面（４００）に表示される六角形（４２０）である。
【０２１９】
図２８に戻って、移動後座標データ１５５６は、図形の形状がいびつであると判断された場合に、その形状を整形するために、複製されたアイコンの移動後の位置座標を示す座標データである。描画時座標データ１５５８は、たとえば図２５（Ａ）に示すような情報提示画面１０００に含まれる人型のアイコン１００４ａ，１００４ｂ，１００６ａ，１００６ｂ，１００８ａおよび１００８ｂのそれぞれの重心座標を示す座標データである。
【０２２０】
個別フラグ１５５８は、個別進捗度表示モードが選択されたか否かを判別するためのフラグである。たとえば、個別フラグ１５５８は、１ビットのレジスタで構成される。個別フラグ１５５８が成立（オン）されると、レジスタにはデータ値「１」が設定され、個別フラグ１５５８が不成立（オフ）されると、レジスタにはデータ値「０」が設定される。
【０２２１】
全体フラグ１５６０は、総合進捗度表示モードが選択されたか否かを判断するフラグである。たとえば、全体フラグ１５６０は、１ビットのレジスタで構成される。全体フラグ１５６０が成立（オン）されると、レジスタにはデータ値「１」が設定され、全体フラグ１５６０が不成立（オフ）されると、レジスタにはデータ値「０」が設定される。
【０２２２】
総合フラグ１５６２は、全体進捗度表示モードが選択されたか否かを判断するフラグである。たとえば、総合フラグ１５６２は、１ビットのレジスタで構成される。総合フラグ１５６２が成立（オン）されると、レジスタにはデータ値「１」が設定され、総合フラグ１５６２が不成立（オフ）されると、レジスタにはデータ値「０」が設定される。
【０２２３】
個別進捗度フラグ１５６４は、個別進捗度が表示されているか否かを判断するためのフラグである。たとえば、個別進捗度フラグ１５６４は、１ビットのレジスタで構成される。個別進捗度フラグ１５６４が成立（オン）されると、レジスタにはデータ値「１」が設定され、個別進捗度フラグ１５６４が不成立（オフ）されると、レジスタにはデータ値「０」が設定される。
【０２２４】
なお、図示は省略するが、データ記憶領域１５０４には、他のデータが記憶されたり、上述した各プログラムの実行に必要な他のフラグやタイマ（カウンタ）などが設けられたりする。
【０２２５】
具体的には、図６に示した端末１６のＣＰＵ４０が、図３０−図４０に示すフロー図に従って処理する。図３０は、情報提示処理の全体を示すフロー図である。たとえば、当該端末１６のユーザ（看護師）がキースイッチ４４を操作して、情報提示の指示を入力すると、図３０に示すように、ＣＰＵ４０は情報提示処理を開始し、ステップＳ１で、表示モードが選択されたかどうかを判断する。ただし、この実施例では、表示モードは、上述した個別進捗度表示モード、全体進捗度表示モードおよび総合進捗度表示モードの３種類である。
【０２２６】
ステップＳ１で“ＮＯ”であれば、つまり表示モードが選択されていなければ、そのまま同じステップＳ１に戻って、表示モードの選択を待機する。一方、ステップＳ１で“ＹＥＳ”であれば、つまり表示モードが選択されれば、ステップＳ３で表示モードを設定して、ステップＳ５に進む。たとえば、ステップＳ３では、ＣＰＵ４０は、選択された表示モードについてのフラグ（１５５８，１５６０，１５６２）をオンし、選択されていない表示モードのフラグ（１５５８，１５６０，１５６２）をオフする。
【０２２７】
ステップＳ５では、共同看護業務に関わる情報をサーバ１２から取得する。たとえば、看護師が端末１６を用いて表示モードを選択すると、端末１６はサーバ１２に共同看護業務に関する情報の送信要求を送信する。ただし、送信要求には、看護師ＩＤがラベルとして付加されている。サーバ１２は、端末１６からの送信要求を受信すると、それに付加された看護師ＩＤを含む共同看護業務を、スケジュールＤＢ３０を参照して、現在時刻における当該看護師ＩＤが示す看護師のスケジュールを特定し、特定した共同看護業務に関わるすべての看護師の現在位置を場所ＤＢ２８に記憶された看護師の場所のテーブル（図３（Ｂ））から取得する。そして、取得したすべての看護師の現在位置の座標データは、現在位置座標データ１５４８として記憶される。
【０２２８】
ただし、当該看護師ＩＤが示す看護師の現在の状況（場所や行動）から共同看護業務を特定してもよいし、看護師が予め共同看護業務を指定して、指定された共同看護業務の識別情報を含む送信要求を端末１６から送信するようにしてもよい。
【０２２９】
さらに、サーバ１２は、共同看護業務ＤＢ３４を参照して、上述のようにして特定した共同看護共同業務についての看護師の各々の進捗および進捗度を共同看護業務の進捗度のテーブルから取得する。そして、サーバ１２は、共同看護業務の情報として、当該共同看護業務に関わるすべての看護師の看護師ＩＤおよび場所ＩＤ（現在位置）と、マップのうちの表示範囲と、各看護師の共同看護業務についての進捗および進捗度の数値データとを送信要求のあった端末１６に送信する。ただし、マップのうちの表示範囲は、全マップのうち、共同看護業務に関わるすべての看護師が含まれるように、ＬＣＤ４８に表示する大きさで、その左上端の位置座標と、右下端の位置座標とが指定される。この実施例では、サーバ１２から送信する情報にマップの表示範囲を含むようにしてあるが、これは端末１６側で判断するようにしてよい。このようにして、端末１６は、共同業務に関わる情報をサーバ１２から取得することができる。
【０２３０】
続くステップＳ７では、マップをＬＣＤ４８に表示する。この実施例では、ＣＰＵ４０は、サーバ１２から取得した情報に含まれる表示範囲に従って全マップのうちの一部をＬＣＤ４８に表示する。たとえば、端末１６は、マップデータ１５４６に基づいて展開された全マップ画像から、指定された２点の位置座標で規定される範囲を読み出し、図示しない描画メモリ（ＶＲＡＭ）の最下層Ｌ３に貼り付けて、ＬＣＤ４８に表示するのである。
【０２３１】
次のステップＳ９では、順次表示モードであるかどうかを判断する。つまり、ステップＳ９では、看護師によって選択された、または、看護師が現在遂行中の共同看護業務が順番に従って遂行されるかどうかを判別する。これは、共同看護業務が特定されれば、そのラベルから容易に知ることができる。ステップＳ９で“ＮＯ”であれば、つまり非順次表示モードであれば、ステップＳ１１で、後述する非順次表示モード処理（図３１参照）を実行して、ステップＳ１５に進む。一方、ステップＳ９で“ＹＥＳ”であれば、つまり順次表示モードであれば、ステップＳ１７で、後述する順次表示モード処理（図３８参照）を実行して、ステップＳ１５に進む。
【０２３２】
ステップＳ１５では、終了操作がされたかどうかを判断する。つまり、看護師が端末１６のキースイッチ４４を操作して、終了指示を入力したかどうかを判断するのである。ステップＳ１５で“ＮＯ”であれば、つまり終了操作がされていなければ、そのままステップＳ１に戻る。一方、ステップＳ１５で“ＹＥＳ”であれば、つまり終了操作がされれば、情報提示処理を終了する。
【０２３３】
図３１は、図３０に示したステップＳ１１の非順次表示モード処理を示すフロー図である。図３１に示すように、端末１６のＣＰＵ４０は、非順次表示モード処理を開始すると、ステップＳ２１で、個別進捗度表示モードが選択されたかどうかを判断する。つまり、個別フラグ１５５８がオンであるかどうかを判断する。このステップＳ２１で“ＹＥＳ”であれば、つまり個別フラグ１５５８がオンであれば、個別進捗度表示モードが選択されたと判断して、ステップＳ２３で、後述する個別進捗度表示処理（図３２および図３３参照）を実行して、ステップＳ３５に進む。一方、ステップＳ２１で“ＮＯ”であれば、つまり個別フラグ１５５８がオフであれば、個別進捗度表示モードが選択されていないと判断して、ステップＳ２５で、全体進捗度表示モードが選択されたかどうかを判断する。つまり、全体フラグ１５６０がオンであるかどうかを判断する。
【０２３４】
ステップＳ２５で“ＹＥＳ”であれば、つまり全体フラグ１５６０がオンであれば、全体進捗度表示モードが選択されていると判断して、ステップＳ２７で、後述する全体進捗度表示処理（図３６参照）を実行して、ステップＳ３５に進む。一方、ステップＳ２５で“ＮＯ”であれば、つまり全体フラグ１５６０がオフであれば、全体進捗度表示モードが選択されていないと判断して、ステップＳ２９で、総合進捗度表示モードが選択されたかどうかを判断する。つまり、総合フラグ１５６２がオンであるかどうかを判断する。
【０２３５】
ステップＳ２９で“ＮＯ”であれば、つまり総合フラグ１５６２がオフであれば、総合進捗度表示モードが選択されていないと判断して、そのままステップＳ３５に進む。一方、ステップＳ２９で“ＹＥＳ”であれば、つまり総合フラグ１５６２がオンであれば、総合進捗度表示モードが選択されていると判断して、ステップＳ３１で、個別進捗度表示処理を実行し、さらに、ステップＳ３３で、全体進捗度表示処理を実行して、ステップＳ３５に進む。つまり、総合進捗度表示モードでは、個別進捗度表示処理によって表示される内容と、全体進捗度表示処理によって表示される内容との両方がＬＣＤ４８に表示される。
【０２３６】
ステップＳ３５では、非順次表示モード処理の終了かどうかを判断する。看護師が端末１６のキースイッチ４４を操作して、終了指示を入力したかどうかを判断するのである。ステップＳ３５で“ＮＯ”であれば、つまり非順次表示モード処理の終了でなければ、そのままステップＳ２１に戻る。一方、ステップＳ３５で“ＹＥＳ”であれば、つまり非順次表示モード処理の終了であれば、図３０に示した情報提示処理にリターンする。
【０２３７】
図３２および図３３は、図３１に示したステップＳ２３，Ｓ３１の個別進捗度表示処理のフロー図である。図３２に示すように、端末１６のＣＵＰ４０は、個別進捗度表示処理を開始すると、ステップＳ４１で、各看護師の居る場所すなわち現在位置をアイコンで表示する。つまり、共同看護業務に関わる各看護師に対応する人型のアイコンが、サーバ１２から取得した共同看護業務の進捗度の情報に従う各看護師の現在位置に対応して、ＬＣＤ４８に表示されたマップ上に表示される。
【０２３８】
次のステップＳ４３では、個別進捗度フラグ１５６４をオンし、ステップＳ４５では、共同看護業務に関わる看護師が３人以上であるかどうかを判断する。ステップＳ４５で“ＮＯ”であれば、つまり共同看護業務に関わる看護師が２人であれば、ステップＳ４７で、人型のアイコンの位置座標が座標テーブルデータ１５５４の座標と一致するか否かを判断する。つまり、２つの人型のアイコンの重心の座標の一方が、座標テーブル（図２９参照）の縦長の六角形の欄に対応する座標１に対応し、他方が座標４に対応するか否かを判断する。ステップＳ４７で“ＹＥＳ”であれば、つまり２つの人型のアイコンにおいて、一方の重心の座標が座標テーブルの縦長の六角形の欄に対応する座標１と一致し、他方の重心の座標が座標４と一致すれば、ステップＳ５１に進む。
【０２３９】
また、ステップＳ４７で“ＮＯ”であれば、つまり２つの人型のアイコンの重心の座標の少なくとも一方が、座標テーブルの縦長の六角形の欄に対応する座標１または座標４と一致しなければ、ステップＳ４９で、座標テーブルデータ１５５４が示す座標テーブルから２つのアイコンの移動後の位置座標を取得し、ステップＳ５１に進む。つまり、このステップＳ４９では、座標テーブルから、縦長の六角形に対応して座標１および座標４に記載された座標（座標データ）を取得し、移動後の座標データ１５５６として、データ記憶領域１５０４に記憶（一時記憶）する。
【０２４０】
ステップＳ５１では、座標テーブルに従って縦長の六角形を描画し、図３３に示すステップＳ６３に進む。つまり、このステップＳ５１では、上述したように、座標テーブルから、縦長の六角形に対応して記述された座標１ないし座標６の座標を取得し、取得した座標を順番に接続して、縦長の六角形を描画するのである。
【０２４１】
また、ステップＳ４５で“ＹＥＳ”であれば、つまり共同看護業務に関わる看護師が３人以上であれば、ステップＳ５３で、後述する図形描画処理（図３４参照）を実行して、ステップＳ５５に進む。ステップＳ５５では、人型のアイコンの数と頂点の数とは一致するか否かを判断する。つまり、サーバ１２からの共同看護業務の進捗度の情報に従って現在位置に対応して表示した人型のアイコンの数と、描画された図形の頂点との数が一致しているか否かを判断する。
【０２４２】
ステップＳ５５で“ＮＯ”であれば、つまり、表示されている人型のアイコンの数と、描画された図形の頂点との数とが一致していなければ、ステップＳ５９に進む。一方、ステップＳ５５で“ＹＥＳ”であれば、つまり表示されている人型のアイコンの数と、描画された図形の頂点の数とが一致していれば、ステップＳ５７で、図形の形状はいびつであるか否かを判断する。つまり、図形の各頂点における内角が、数２に従って算出された閾値を越えているか否かを判断する。
【０２４３】
ステップＳ５７で“ＹＥＳ”であれば、つまり描画した図形の内角のうちのいずれか１つでも閾値を超えていれば、描画された図形の形状がいびつであると判断して、ステップＳ６１で、座標テーブルに従って、看護師の人数（人型のアイコンの数）に応じた図形を描画し、図３３に示すステップＳ６１に進む。
【０２４４】
続いて、図３３に示すステップＳ６１では、記憶した位置座標すなわち現在位置の位置座標と、移動後の位置座標との対応関係を座標対応関係バッファ１５４４に記憶し、ステップＳ６３では、人型のアイコンの複製を移動後の位置座標に描画して、ステップＳ８３に進む。ただし、人型のアイコンは、座標対応関係バッファ１５４４に一時記憶されている対応関係に基づいて複製される。また、ステップＳ６３では、現在位置の位置座標と、移動後の位置座標とが一致する場合には、人型のアイコンの複製は表示されない。
【０２４５】
また、図３２に示すステップＳ５９で“ＮＯ”となり、図３３のステップＳ６５に進むと、このステップＳ６５では、描画された図形の重心の座標を算出する。次のステップＳ６７では、描画された図形の位置を補正（移動）する必要があるか否かを判断する。ここでは、ステップＳ６５において算出された図形の重心の座標がＬＣＤ４８の表示領域の中心と一致するかどうかを判断し、それらが一致しない場合には、図形の位置を補正する必要があると判断し、それらが一致する場合には、図形の位置を補正する必要がないと判断する。ただし、厳密に一致するか否かを判断すると、ほとんどの場合一致しないと予測されるため、図形の重心と表示領域の中心との距離が一定値以上離れている場合に、図形の位置を補正するようにしてもよい。
【０２４６】
ステップＳ６７で“ＮＯ”であれば、つまり図形の表示位置を補正する必要がなければ、そのままステップＳ７１に進む。一方、ステップＳ６７“ＹＥＳ”であれば、つまり図形の表示位置を補正する必要があれば、ステップＳ６９で、図形の重心が表示表記の中心と一致するように、図形の位置を変更（移動）する。つまり、このステップＳ６９では、図形の重心を中心移動する場合の方向と距離とで表わされるベクトルに従って図形の各頂点を移動させる。図示は省略するが、変更後の各頂点の位置座標は、移動後の位置座標データ１５５６としてデータ記憶領域１５０４に記憶される。また、このとき、座標対応関係バッファ１５４４に記憶された対応関係が更新される。
【０２４７】
ステップＳ７１では、描画した図形の面積Ｓを算出し、ステップＳ７５では、面積Ｓが閾値ＳＭＡＸより大きいか否かを判断する。ステップＳ７３で“ＹＥＳ”であれば、つまり描画した図形の面積Ｓが閾値ＳＭＡＸより大きければ、当該図形が大き過ぎると判断して、ステップＳ７５で、図形を縮小して、ステップＳ７１に戻る。ただし、図形を縮小した場合には、移動後の位置座標データ１５５６が更新されるとともに、座標対応関係バッファ１５４４に記憶された対応関係も更新される。
【０２４８】
また、ステップＳ７３で“ＮＯ”であれば、つまり描画された図形の面積Ｓが閾値ＳＭＡＸ以下であれば、ステップＳ７７で、面積Ｓが閾値ＳＭＩＮより小さいか否かを判断する。ステップＳ７７で“ＹＥＳ”であれば、つまり描画された図形の面積Ｓが閾値ＳＭＩＮより小さければ、当該図形が小さ過ぎると判断して、ステップＳ７９で、図形を拡大して、ステップＳ７１に戻る。ただし、図形を拡大した場合には、移動後の位置座標データ１５５６が更新されるとともに、座標対応関係バッファ１５４４に記憶された対応関係も更新される。一方、ステップＳ７７で“ＮＯ”であれば、つまり描画された図形の面積ＳがＳＭＩＮ以上であれば、図形の大きさは適切であると判断して、ステップＳ８１で、人型のアイコンの複製を移動後の位置座標に描画して、ステップＳ８３に進む。
【０２４９】
ステップＳ８３では、現在位置の位置座標と移動後の位置座標とを点線で接続する。つまり、座標対応関係バッファ１５４４を参照して、対応関係を有している、現在位置座標データ１５４８が示す座標と、移動後座標データ１５５６が示す座標とを接続するように、点線を描画する。そして、ステップＳ８５で、各アイコンに対応する看護師の進捗度に応じて、図形の内部を着色し、図３１に示した非順次表示モード処理にリターンする。
【０２５０】
図３４は、図３２に示したステップＳ５３の図形の描画処理のフロー図である。図３４に示すように、端末１６のＣＰＵ４０は、図形の表示処理を開始すると、ステップＳ１０１で、変数ｉ、変数ｊ、配列ｔ［ｉ］［ｊ］を初期化する（ｉ＝ｊ＝１，ｔ[ｉ][ｊ]＝０）。ここで、変数ｉは、図形を描画する際の基準点（頂点）を識別するための変数である。変数ｊは、当該基準点または当該基準点と接続される点を識別するための変数である。したがって、上述したように、変数ｉと変数ｊの初期値をそれぞれ「１」に設定すると、変数ｉの最大値は、描画する図形の頂点の数に相当し、変数ｊは基準点とそれに接続されるべき他の点との２点を識別可能にするだけなのでその最大値は「２」である。
【０２５１】
続くステップＳ１０３では、描画領域（表示領域）の原点から各アイコンの重心（表示位置）までの距離を算出し、ステップＳ１０５では、原点に最も近い重心を有するアイコンの表示位置（点）を最初の基準点に設定する。次いで、ステップＳ１０７で、配列ｔ[１][１]に最初の基準点の座標を設定し、ステップＳ１０９で、変数ｊをインクリメント（ｊ＝ｊ＋１）する。ただし、ステップＳ１０７では、配列ｔは図形描画バッファ１５４２に一時記憶される。以下、同様である。
【０２５２】
続いて、ステップＳ１１１では、基準点と接続されるべき他の点を探索する。この探索処理は、数１を用いて説明したように、基準点を中心（原点）とした場合に、当該原点を通る一次関数の傾きを変えて、当該一時関数に接触する点を探索するのである。そして、ステップＳ１１３では、他の点を検出したかどうかを判断する。ステップＳ１１３で“ＮＯ”であれば、つまり他の点を検出していなければ、そのままステップＳ１１１に戻る。この場合、ステップＳ１１１では、角度αを０．０１度増加した場合の傾きで他の点を探索することになる。
【０２５３】
また、ステップＳ１１３“ＹＥＳ”であれば、つまり他の点を検出すれば、ステップＳ１１５で、検出した他の点の座標が配列ｔに２つ存在するかどうかを判断する。つまり、検出した他の点が、既に他の２点と接続するべき関係を有しているかどうかを判断するのである。ステップＳ１１５で“ＹＥＳ”であれば、つまり検出した他の点の座標が配列ｔに２つ存在すれば、当該他の点と接続するべきでないと判断して、ステップＳ１１１に戻る。一方、ステップＳ１１５で“ＮＯ”であれば、つまり検出した他の点の座標が配列ｔに存在していなかったり、１つしか存在しなかったりする場合には、ステップＳ１１１７で、検出した他の点が最初の基準点かどうかを判断する。ここでは、検出した他の点の座標が、配列ｔ[１][１]に設定された座標と一致するかどうかを判断するのである。
【０２５４】
ここで、ステップＳ１１５で“ＹＥＳ”と判断される場合について、説明する。図３５（Ａ）を参照して、点Ｖ１，点Ｖ２，点Ｖ３，点Ｖ４は、或る共同看護業務にかかわる４人の看護師のそれぞれの現在位置に対応する人型のアイコンの表示位置（重心）を示す。また、ここでは、点Ｖ４を基準点として他の点の探索を開始するため、配列ｔ[１][１]から配列ｔ[４][１]には図３５（Ｂ）に示すように点Ｖ１，点Ｖ２，点Ｖ３，点Ｖ４の座標が記憶される。つまり、配列ｔ[１][１]には点Ｖ１の座標が記憶され、配列ｔ[１][２]には点Ｖ２の座標が記憶される。配列ｔ[２][１]には点Ｖ２の座標が記憶され、配列ｔ[２][２]には点Ｖ３の座標が記憶される。配列ｔ[３][１]には点Ｖ３の座標が記憶され、配列ｔ[３][２]には点Ｖ４の座標が記憶される。そして、配列ｔ[４][１]には点Ｖ４の座標が記憶される。
【０２５５】
図３５（Ａ）を参照して、ステップＳ１１１の処理によって、点Ｖ４において他の点を探索すると、ステップＳ１１３の処理によって、最初に見つかる点は点Ｖ２となる。そこで、ステップＳ１１５で、発見された点Ｖ２の座標が配列ｔに２つ存在するか否かを判断されると、発見された点Ｖ２の座標は、既に配列ｔ[１][２]と配列ｔ[２][１]とに記憶されているため、“ＹＥＳ”と判断され、ステップＳ１１１に戻り、点Ｖ２とは異なる他の点を探索する。ここでは、点Ｖ３においても同様に、ステップＳ１１５で“ＹＥＳ”と判断される。一方、点Ｖ１が他の点として発見されると、点Ｖ１の座標は、配列ｔ[１][１]のみに記憶されているため、ステップＳ１１５では、“ＮＯ”と判断され、ステップＳ１１７に進む。
【０２５６】
ステップＳ１１７で“ＮＯ”であれば、つまり検出した他の点が最初の基準点でなければ、図形は完成していないと判断して、ステップＳ１１９で、配列ｔ[ｉ][２]に検出した他の点の座標を設定し、ステップＳ１２１で、変数ｉをインクリメントする（ｉ＝ｉ＋１）とともに、変数ｊをリセット（ｊ＝１）する。そして、ステップＳ１２３で、検出した他の点を次の基準点に設定し、ステップＳ１２５で、配列ｔ[ｉ][１]に次の基準点の座標を設定し、ステップＳ１１１に戻る。
【０２５７】
一方、ステップＳ１１７で“ＹＥＳ”であれば、つまり検出した他の点が最初の基準点であれば、図形が完成したと判断して、ステップＳ１２７で、図形を描画して、図３２および図３３に示した個別進捗度表示処理にリターンする。ステップＳ１２７では、図形描画バッファ１５４２を参照して、配列ｔの変数ｉが同じもの同士の座標を線分で接続することによって、１つの閉領域すなわち図形が描画される。
【０２５８】
なお、図示は省略するが、ステップＳ１１１の探索処理において、角度αが３６０度になっても他の点を検出できていない場合には、エラーとなり、強制的に処理が終了される。ただし、かかる場合には、最初の基準点を他の点に設定して、再度図形の描画処理を実行するようにしてもよい。
【０２５９】
図３６は、図３１に示したステップＳ２７，Ｓ３３の全体進捗度表示処理のフロー図である。図３６に示すように、端末１６のＣＰＵ４０は、全体進捗度表示処理を開始すると、ステップＳ１４１で、各看護師の居る場所（現在位置）に対応するマップ上の位置に人型のアイコンで表示し、ステップＳ１４３で、後述する円の描画処理（図３７参照）を実行する。ただし、総合進捗度表示モードでは、個別進捗度を表示する際に、既に、各看護師についての人型のアイコンは現在位置に対応するマップ上の位置に配置されているため、ステップＳ１４１の処理は実行されない。
【０２６０】
次のステップＳ１４５では、共同看護業務に関わる各看護師の進捗から全体の進捗度を算出する。このステップＳ１４５では、ステップＳ５においてサーバ１２から取得した共同看護業務の進捗の情報に含まれる各看護師の看護業務の総数の合計のうち、各看護師のすでに完了した看護業務の数の合計の割合を算出することにより、全体の進捗度を求める。続いて、ステップＳ１４７では、全体の進捗度に応じて、描画された円の内部を着色し、図３１に示した非順次表示モード処理にリターンする。
【０２６１】
図３７は、図３６に示したステップＳ１４３の円の描画処理のフロー図である。図３７に示すように、端末１６のＣＰＵ４０は、円の描画処理を開始すると、ステップＳ１６１で、個別進捗度フラグ１５６４がオンであるか否かを判断する。つまり、ＬＣＤ４８の表示領域に、図形が描画されているか否かを判断する。
【０２６２】
ステップＳ１６１で“ＹＥＳ”であれば、つまり個別進捗度フラグ１５６４がオンであれば、ＬＣＤ４８の表示領域に図形が描画されていると判断して、ステップＳ１６３で、図形の重心を算出し、ステップＳ１６５で、図形の重心から一番遠い頂点までの距離に基づいて半径ｒを算出する。この実施例では、図形よりも円を少し大きくするために、図形の重心から一番遠い頂点までの距離を所定倍（たとえば、１．２倍）した長さを半径ｒとして決定するようにしてある。そして、ステップＳ１６７で、図形の重心を中心とし、半径ｒの円を描画して、図３６に示した全体進捗度表示処理にリターンする。
【０２６３】
一方、ステップＳ１６１で“ＮＯ”であれば、つまり個別進捗度フラグ１５６４がオフであれば、ＬＣＤ４８の表示領域に図形が描画されていないと判断して、ステップＳ１６９で、ＬＣＤ４８の表示領域の中心を中心とし、ＬＣＤ４８の表示領域の大きさに応じて予め設定された値を半径ｒとする円を描画して、全体進捗度表示処理にリターンする。
【０２６４】
図３８は、図３０に示したステップＳ１３の順次表示モード処理のフロー図である。この図３８に示す順次表示モード処理は、サブルーチン（Ｓ１８３，Ｓ１９１）の詳細を除いては、図３１に示した非順次表示モード処理とほぼ同じであるため、重複する内容については簡単に説明することにする。
【０２６５】
図３８に示すように、端末１６のＣＰＵ４０は、順次表示モード処理を開始すると、ステップＳ１８１で、個別進捗度表示モードが選択されたか否かを判断する。ステップＳ１８１で“ＹＥＳ”であれば、ステップＳ１８３で、後述する個別進捗度表示処理（図３９および図４０参照）を実行して、ステップＳ１９５に進む。一方、ステップＳ１８１で“ＮＯ”であれば、ステップＳ１８５で、全体進捗度表示モードが選択されたか否かを判断する。
【０２６６】
ステップＳ１８５で“ＹＥＳ”であれば、ステップＳ１８７で、後述する全体進捗度表示処理を実行して、ステップＳ１９５に進む。一方、ステップＳ１８５で“ＮＯ”であれば、ステップＳ１８９で、総合進捗度表示モードが選択されたか否かを判断する。ステップＳ１８９で“ＮＯ”であれば、そのままステップＳ１９５に進む。一方、ステップＳ１８９で“ＹＥＳ”であれば、ステップＳ１９１で、個別進捗度表示処理を実行し、さらに、ステップＳ１９３で、全体進捗度表示処理を実行して、ステップＳ１９５に進む。
【０２６７】
ステップＳ１９５では、順次表示モード処理の終了であるか否かを判断する。ステップＳ１９５で“ＮＯ”であれば、そのままステップＳ１８１に戻る。一方、ステップＳ１９５で“ＹＥＳ”であれば、図３０に示した情報提示処理にリターンする。
【０２６８】
図３９および図４０は、図３８のステップＳ１８３およびステップＳ１９１に示した個別進捗度表示処理のフロー図である。なお、図３２に示した非順次表示モードにおける個別進捗度表示処理と同じ内容については簡単に説明することにする。
【０２６９】
図３９に示すように、端末１６のＣＰＵ４０は、個別進捗度表示処理を開始すると、ステップＳ２１１で、看護師の居る場所を人型のアイコンで表示する。次のステップＳ２１３では、個別進捗度フラグ１５６４をオンする。続いて、ステップＳ２１５では、看護師が３人以上であるか否かを判断する。
【０２７０】
ステップＳ２１５で“ＹＥＳ”であれば、つまり看護師が３人以上であれば、ステップＳ２１７で、共同看護業務に関わる看護師の人数に応じた図形を座標テーブルに従って点線で描画し、ステップＳ２１９で、看護業務を遂行する順番にしたがって、各アイコンの移動後の位置座標を決定する。この実施例では、１番目に看護業務を行う看護師のアイコンを表示領域の最上部に在る頂点に配置され、２番目以降の看護師のアイコンは、右回り（時計回り）に順番に従って、図形の頂点に配置される。これに従って、各アイコンの移動後の位置座標が決定されるのである。続くステップＳ２２１では、現在位置の位置座標と移動後の位置座標との対応関係を座標対応関係バッファ１５４４に一時記憶する。そして、ステップＳ２２３で、アイコンの複製を移動後の位置座標に描画して、ステップＳ２３３に進む。
【０２７１】
一方、ステップＳ２１５で“ＮＯ”であれば、つまり看護師が２人であれば、ステップＳ２２５で、共同看護業務の順番と座標テーブルとに基づいて、移動後の位置座標を決定する。ここでは、座標テーブルにおいて、縦長の六角形の座標１に記載された座標を１番目の看護師のアイコンの移動後の位置座標として決定し、当該縦長の六角形の座標４に記載された座標を２番目の看護師のアイコンの移動後の位置座標として決定する。
【０２７２】
次のステップＳ２２７で、現在位置の位置座標と移動後の位置座標との対応関係を座標対応関係バッファ１５４４に一時記憶し、ステップＳ２２９で、アイコンの複製を移動後の位置座標に描画し、ステップＳ２３１で、１番目の看護師に対応する移動後のアイコンと、２番目の看護師に対応する移動後のアイコンとを結ぶ２本の点線を描画して、ステップＳ２３３に進む。たとえば、ステップＳ２３１では、１番目の看護師に対応する移動後のアイコンの位置座標と、２番目の看護師に対応する移動後のアイコンの位置座標とを結ぶ線分（仮想の線分）を、当該仮想の線分を中心としてＸ軸方向の左右に所定距離（所定ドット数）移動した２本の点線を描画する。
【０２７３】
ステップＳ２３３では、対応関係の有る、現在の位置座標と移動後の位置座標とを点線で接続する。続いて、図４０に示すステップＳ２３５で、当該共同看護業務において各看護師が実行する看護業務が複数の手順を踏むものであるか否かを判断する。ここでは、サーバ１２からの共同看護業務の進捗度の情報に含まれる共同看護業務の種類の情報に基づいて判断する。ステップＳ２３５で“ＹＥＳ”であれば、つまり各看護師の看護業務が手順を踏むものであれば、ステップＳ２３７で、図形の各辺を手順の数で分割する。そして、ステップＳ２３９で、看護業務の進捗度に応じて、順番に従って配置されたアイコン同市を連結する点線を実線に変更し、実線のアイコンに接続されない側の端点に矢印を描画して、図３８に示した順次表示モード処理にリターンする。
【０２７４】
また、ステップＳ２３５で“ＮＯ”であれば、つまり当該共同看護業務における看護業務が複数の手順を踏むものでなければ、ステップＳ２４１で、看護業務の進捗度に応じて、順番に従って配置されたアイコン同士を接続する点線を実線に変更して、順次表示モード処理にリターンする。
【０２７５】
なお、図３８に示したステップＳ１８７およびＳ１９３の全体進捗度表示処理は、図３６に示した全体進捗度表示処理と同じであるため、重複した説明および図示は省略することにする。
【０２７６】
この実施例によれば、共同看護業務における複数の看護師のそれぞれの現在位置および担当する看護業務の進捗度を、図形を用いて可視表示するため、各看護師は共同看護業務における他の看護師の現在位置および進捗度を容易に知ることができる。さらに、共同看護業務全体の進捗度も可視表示することができるため、共同看護業務における全体の進捗度も容易に知ることができる。したがって、看護業務の進行が早い看護師は、進行が遅い看護師の手助けをすることができ、この際、現在位置を容易に知ることができる。よって、共同看護業務を円滑に進行させることができ、病院における業務の効率化を図ることができる。
【０２７７】
なお、この実施例では、端末１６がサーバ１２から共同看護業務の進捗度の情報を受信し、端末１６側で画面表示のための処理を実行するようにしたが、サーバ１２側で画像表示のための処理を実行し、端末１６はサーバ１２の処理結果を受信して、処理結果を表示するようにしてもよい。
【０２７８】
また、この実施例では、端末１６のＬＣＤ４８に個別進捗度、全体進捗度、総合進捗度を表示するようにしたが、これらは看護師詰所のような所定の場所に設置したディスプレイ上に表示するようにしてもよい。かかる場合には、ディスプレイは、たとえばサーバ１２に直接接続されたり、サーバ１２と通信可能に接続されたコンピュータに接続されたりすることができる。ただし、前者の場合には、画面表示のための処理はサーバ１２で実行する必要がある。後者の場合には、画面表示のための処理はサーバ１２で実行することができるし、サーバ１２に接続されたコンピュータで実行することもできる。後者の場合において、サーバ１２が画面表示のための処理を実行した場合には、その処理結果がコンピュータに送信され、コンピュータが処理結果をディスプレイに表示する。
【０２７９】
さらに、この実施例では、全体進捗度の円グラフを描画する際に、個別進捗度が表示されている場合には、円の半径を算出するようにしたが、個別進捗度が表示されている場合であっても、座標テーブルに従って図形が描画されている場合には、ＬＣＤの表示領域の大きさに応じて予め設定された半径の円を描画するようにしてもよい。
【０２８０】
さらにまた、この実施例では、知識共有システムを病院に適用した場合について説明したが、これに限定される必要はない。一般的な企業、工場などの様々な環境に適用することができる。ただし、適用する環境に応じて、用意するマップデータやキャラクタ画像データを変更する必要があると考えられる。
【０２８１】
また、上述の実施例では、座標テーブルに従わないで図形を描画したとき、探索処理によって発見された点の数が、サーバ１２から与えられた点の数、すなわちサーバ１２からの同看護業務の進捗度の情報が示す共同看護業務に関わる看護師（人型のアイコン）の数と一致しなければ、つまりすべての点（人型のアイコン）を接続した図形でない場合には、直ちに、座標テーブルに従って図形を描画するようにしたが、探索処理において決定される最初の基準点を他の点に選んで、接続されるべき他の点を探索して、図形を描画するようにしてもよい。
【０２８２】
たとえば、原点に近い点（人型のアイコン）を最初の基準点として選択して、探索処理を実行した結果、探索によって発見された点が人型のアイコンの数と一致しなければ、探索処理によって発見されなかった点（図１７（Ａ）に示した例の点Ｔ）を、最初の基準点として選択して、探索処理を始めからやり直すようにしてある。
【０２８３】
なお、探索処理の詳細については、上述したとおりであるため、重複した説明は省略する。
【０２８４】
したがって、図４１（Ａ）に示すように、探索処理が開始（再開）されると、最初の基準点Ｔと接続されるべき点Ｑが見つけられる。次に、図４１（Ｂ）に示すように、基準点を点Ｑとして探索処理が実行され、基準点Ｑと接続されるべき点Ｒが見つけられる。続いて、図４２（Ａ）に示すように、基準点を点Ｒとして探索処理が実行され、基準点Ｒと接続されるべき点Ｓが見つけられる。さらに、図４２（Ｂ）に示すように、基準点を点Ｓとして探索処理が実行され、基準点Ｓと接続されるべき点Ｐが見つけられる。そして、図４３（Ａ）に示すように、基準点を点Ｐとして探索処理が実行され、基準点Ｐと接続されるべき点Ｔが見つけられる。
【０２８５】
このようにすれば、図１７（Ａ）に示したような場合であっても、図４３（Ｂ）に示すように、すべての点（人型のアイコン）を接続して、１つの閉領域すなわち図形を描画することが可能である。
【０２８６】
ここでは、探索処理をやり直す場合に、最初の（前回の）探索処理において発見されなかった点を最初の基準点として選択するようにしたが、これに限定される必要はない。たとえば、探索処理をやり直す場合には、原点に近い点から順番に、または、ランダムに、最初の基準点として選択するようにし、一度最初の基準点として選択された点は再度選択されないようにすればよい。そして、すべての点を最初の基準点として選択したにも関わらず、すべての点（人型のアイコン）を接続した図形を描画することができなかった場合に、座標テーブルに従う図形を描画するようにしてもよい。
【０２８７】
さらに、上述の実施例では、サーバ１２からの共同看護業務の進捗度の情報に従って描画されたすべての点（人型のアイコン）を接続した図形が描画されていない場合や描画した図形の形状がいびつである場合には、座標テーブルを用いて図形を描画し直すようにしてある。ただし、これに限定される必要はなく、頂点の数（多角形）に応じて辺の長さと内角の大きさとを規定しておき、この規定の辺の長さおよび内角の大きさ（規定値）を用いて図形（正多角形）を描画し直すこともできる。ただし、七角形、十一角形、十三角形のような正多角形でない図形については、上述したように、四捨五入などした内角の値を規定しておき、後述するように、順次辺を描画する際に、最後の辺を描画するときに内角の大きさに拘わらず、閉領域を形成するように調整される。また、規定される辺の長さは、ＬＣＤ４８の表示領域の大きさを考慮して、予め適切な値に設定される。
【０２８８】
この規定値を用いた図形の描画の方法では、まず、最初の基準点が決定される。基準点の決定方法は、上述したように、原点に最も近い点でもよいし、当該端末１６の使用者（看護師）に対応する人型のアイコンが配置（描画）される点でもよいし、原点からＬＣＤ４８の表示領域をラスタスキャンした場合に最初に見つかった点でもよい。なお、最初の基準点は、サーバ１２からの共同看護業務の進捗度の情報に従って配置した点（人型のアイコン）に拘わらず、ＬＣＤ４８の表示領域の任意の点に決定するようにしてもよい。
【０２８９】
たとえば、図４４（Ａ）に示すように、点Ｐの位置に描画される頂点が最初の基準点として決定される。ただし、図４４（Ａ）は、図１７（Ａ）に示した点（人型のアイコン）の配置と同じであり、上述したように、サーバ１２からの共同看護業務の進捗度の情報に従って配置した点（人型のアイコン）の数と探索処理によって発見された点の数とが一致しなかったり、すべての点（人型のアイコン）を頂点する図形を描画できたとしても、その形状がいびつであったりする。
【０２９０】
以下、規定値に基づいて、最初の基準点から図形（ここでは、正多角形）を描画する方法について説明するが、描画する図形と、サーバ１２からの共同看護業務の進捗度の情報に従って配置した点とを区別するため、描画する図形の頂点に対する参照番号をＡｉ（ｉは自然数）で示すことにする。
【０２９１】
最初の基準点として点Ｐと同じ位置の頂点Ａ１が決定されると、この基準点Ａ１を始点として、規定値に従った辺が描画される。この実施例では、頂点Ａ１を原点とするローカル座標平面が適用される。このローカル座標平面は、図１４（Ｂ）に示すローカル座標平面とは異なり、基準点Ａｉ毎に用いられる座標平面である。
【０２９２】
図４４（Ｂ）を参照して、基準点Ａｉがこのローカル座標平面の原点とされる。ただし、ローカル座標平面の水平方向がｘ軸方向であり、ローカル座標平面の垂直方向がｙ軸方向である。また、ローカル座標平面において、右方向がｘ軸のプラス方向であり、上方向がｙ軸のプラス方向である。よって、ローカル座標平面において、ｘ軸がプラス方向であり、ｙ軸がプラス方向で示される座標範囲が第１象限である。また、ｘ軸がマイナス方向であり、ｙ軸がプラス方向で示される座標範囲が第２象限である。さらに、ｘ軸がマイナス方向であり、ｙ軸がマイナス方向で示される座標範囲が第３象限である。そして、ｘ軸がプラス方向であり、ｙ軸がマイナス方向で示される座標範囲が第４象限である。
【０２９３】
そして、基準点Ａ１を通るｘ軸に平行な線を基準にして、辺を描画するための角度が決定される。図４４（Ａ）からも分かるように、この実施例では、角度の初期値θ１は、図４４（Ｂ）に示すように、内角ｄの半分の角度ｄ／２だけ基準の線（ｘ軸上）から反時計周りに回転した方向に辺を描画するように、次の頂点Ａ２が決定される。ただし、回転角度の初期値θ１をｄ／２に限定する必要はなく、任意の値に設定することができる。
【０２９４】
具体的には、内角ｄの半分の角度だけ基準の線から左方向に回転させた辺を描画する場合、点Ａ１の座標を（ＸＡ１，ＹＡ１）とし、規定された辺の長さをｍとすると、点Ａ１と当該辺によって接続される点Ａ２の座標（ＸＡ２，ＹＡ２）は数５に従って算出される。ただし、上述したように、θ１＝ｄ／２である。
【０２９５】
［数５］
（ＸＡ２，ＹＡ２）＝[ＸＡ１＋ｍ×ｃｏｓθ１，ＹＡ１＋ｍ×ｓｉｎθ１]
【０２９６】
次に、点Ａ２を基準点として、この基準点Ａ２と接続される頂点Ａ３の座標（ＸＡ３，ＹＡ３）が求められる。簡単に説明すると、頂点Ａ１と頂点Ａ２とを結ぶ辺（線分）Ｌ１と角度ｄをなす辺（Ｌ２）が頂点（基準点）Ａ２を始点として描画される。図４５（Ａ）に示すように、基準点Ａ２を始点とし、長さｍの点線Ｌ１´を考える。この点線Ｌ１´は基準の線に対して前回の角度θ１だけ回転させたものである。この点線Ｌ１´を１８０度回転させると、前回（最初に）描画した線分Ｌ１と重なり、さらに、内角ｄだけ回転させると、今回描画する線分Ｌ２に重なる。つまり、前回の角度θ１に１８０度＋内角ｄを加算した値が今回の角度θ２である。具体的には、頂点Ａ３の座標（ＸＡ３，ＹＡ３）は数６に従って算出される。
【０２９７】
[数６]
（ＸＡ３，ＹＡ３）＝[Ｘ２＋ｍ×ｃｏｓθ２，Ｙ２＋ｍ×ｓｉｎθ２] 
続いて、点Ａ３を基準点として、この基準点Ａ３と接続される点Ａ４の座標（ＸＡ４，ＹＡ４）が求められる。簡単に説明すると、頂点Ａ２と頂点Ａ３とを結ぶ線分Ｌ２と角度ｄをなす線分Ｌ３が頂点（基準点）Ａ３を始点として描画される。図４５（Ｂ）に示すように、基準点Ａ３を通る基準の線に対して、前回の角度θ２だけ回転させた線分Ｌ２´を、さらに、１８０度＋内角ｄだけ回転させると、今回描画する線分Ｌ３に重なる。つまり、前回の角度θ２に１８０度＋内角ｄを加算した値が今回の角度θ３である。具体的には、頂点Ａ４の座標（ＸＡ４，ＹＡ４）は数７に従って算出される。
【０２９８】
[数７]
（ＸＡ４，ＹＡ４）＝[Ｘ３＋ｍ×ｃｏｓθ３，Ｙ３＋ｍ×ｓｉｎθ３]
このように、順次基準点および基準の線を更新し、回転角度を前回の回転角度に１８０度＋内角だけ加算することにより、頂点の座標が順次算出され、図形が描画される。つまり、辺の規定値に従って図形を描画する場合には、数８に示す式に従って座標が算出されると言える。
【０２９９】
[数８]
（ＸＡｉ，ＹＡｉ）＝[Ｘｉ−１＋ｍ×ｃｏｓ（θｉ−１＋１８０＋ｄ），Ｙｉ−１＋ｍ×ｓｉｎ（θｉ−１＋１８０＋ｄ）]
ただし、ｉは２以上の整数であり、ｉの最大値はサーバ１２からの共同看護業務の進捗度の情報に従って描画された座標（人型のアイコン）の総数から１減算した値である。このようにするのは、最後の線分は、接続されていない点同士（図４６（Ａ）では、点Ａ１とＡ５）については、数８に従った座標を算出せずに直接接続するようにするためである。これによって、正多角形でない図形も描画可能としてある。ただし、上述したように、最初の基準点の座標（ＸＡ１，ＹＡ１）は、原点に最も近い点に決定され、最初の回転角度θ１は任意に決定される。
【０３００】
このようにして、変数ｉを順次変化させ、たとえば、図４６（Ｂ）に示すように、辺の規定値に従う図形が描画される。詳細な説明は省略するが、このように辺の規定値に従って図形を描画した場合にも、上述の実施例で説明したように、図形の位置または図形の大きさ或いはそれらの両方を変更するようにしてもよい。
【０３０１】
また、上述の実施例では、図形を描画するとき、或る共同看護業務に関わる看護師に対応する人型のアイコンを描画するようにしたが、共同看護業務に関係なく、ＬＣＤ４８の表示領域内に描画されるマップに含まれる全ての看護師に対応する人型のアイコンを描画するようにしてもよい。この場合、人型のアイコンが或る共同看護業務に関わらない看護師に対応するか、或る共同看護業務に関わる看護師に対応するかが不明確になる。よって、或る共同看護業務の全体の進捗度を示す円グラフと或る共同看護業務に関わる看護師に対応する人型のアイコンとを点線で接続するようにする。
【０３０２】
たとえば、図４７に示すような情報提示画面１４００をＬＣＤ４８に表示する。この情報提示画面１４００では、マップ１４０２が表示され、このマップ１４０２上には、或る共同看護業務に関わる看護師の現在位置が人型のアイコン１４０６，１４０８，１４１０で示され、或る共同看護業務に関わらない看護師の現在位置が人型のアイコン１４０４，１４１２で示されるとともに、或る共同看護業務進捗度の円グラフ１４３０が表示される。そして、或る共同看護業務に関わる看護師の現在位置が人型のアイコン１４０６，１４０８，１４１０のそれぞれの重心座標から、円グラフ１４３０の中心座標に向けて点線が描画され、円グラフ１４３０の内部は点線が描画されないようにする。
【０３０３】
これによって、或る共同看護業務に関わる看護師と、或る共同看護業務に関わらない看護師とを容易に識別することができるようになる。また、上述の内容以外は、図２３（Ａ）に示した情報提示画８００と同様であるため、重複した説明は省略する。
【図面の簡単な説明】
【０３０４】
【図１】図１はこの発明の知識共有システムの構成の一例を示す図解図である。
【図２】図２は図１に示すサーバの電気的な構成を示す図解図である。
【図３】図３は図２に示す看護状況ＤＢおよび場所ＤＢの内容を示す図解図である。
【図４】図４は図２に示すスケジュールＤＢの内容を示す図解図である。
【図５】図５（Ａ）は図２に示す共同看護業務ＤＢの内容を示す図解図である。
【図６】図６は図１に示す看護師用端末の電気的な構成を示す図解図である。
【図７】図７は図１に示す通過センサの設置状況を説明するための図解図である。
【図８】図８は看護師用端末、中継器および送信機を看護師に装着した状態を示す図解図である。
【図９】図９は図１に示す通過センサの電気的な構成を示す図解図である。
【図１０】図１０は図１に示す中継器の電気的な構成を示す図解図である。
【図１１】図１１は図１に示す看護師端末のＬＣＤに表示される情報提示画面の第１の例を示す図解図である。
【図１２】図１２は図１に示す看護師端末のＬＣＤに表示される情報提示画面の第２の例を示す図解図である。
【図１３】図１３は図１に示す看護師端末のＬＣＤに表示される情報提示画面の第３の他の例を示す図解図である。
【図１４】図１４は図１に示す看護師端末のＬＣＤに表示される図形を描画する第１の手順の一部を説明するための図解図である。
【図１５】図１５は図１に示す看護師端末のＬＣＤに表示される図形を描画する第１の手順の他の一部であり、図１４に続く手順を説明するための図解図である。
【図１６】図１６は図１に示す看護師端末のＬＣＤに表示される図形の例を示す図解図である。
【図１７】図１７は図１に示す看護師端末のＬＣＤに表示される図形の他の例を示す図解図である。
【図１８】図１８は図１に示す看護師端末のＬＣＤに表示される図形を整形した場合に、現在位置に表示されるアイコンの複製を移動するための移動後の位置を決定する方法の一部を説明するための図解図である。
【図１９】図１９は図１に示す看護師端末のＬＣＤに表示される図形を整形した場合に、現在位置に表示されるアイコンの複製を移動するための移動後の位置を決定する方法の他の一部を説明するための図解図である。
【図２０】図２０は図１に示す看護師端末のＬＣＤに表示される図形を整形した場合に、現在位置に表示されるアイコンの複製を移動するための移動後の位置を決定する方法のその他の一部を説明するための図解図である。
【図２１】図２１は図１に示す看護師端末のＬＣＤに表示された図形の大きさを調整する方法を説明するための図解図である。
【図２２】図２２は図１に示す看護師端末のＬＣＤに表示された図形に色を付す方法を説明するための図解図である。
【図２３】図２３は図１に示す看護師端末のＬＣＤに表示される情報提示画面の第４の例を示す図解図である。
【図２４】図２４は図１に示す看護師端末のＬＣＤに表示される情報提示画面を描画するレイヤ構造の一例を示す図解図である。
【図２５】図２５は図１に示す看護師端末のＬＣＤに表示される情報提示画面の第５の例を示す図解図である。
【図２６】図２６は図１に示す看護師端末のＬＣＤに表示される情報提示画面の第６の他の例を示す図解図である。
【図２７】図２７は図１に示す看護師端末に設けられるメモリのメモリマップの一例を示す図解図である。
【図２８】図２８は図１に示す看護師端末に設けられるメモリのデータ記憶領域の具体的な内容の一例を示す図解図である。
【図２９】図２９は図２８に示すデータ記憶領域に記憶された座標テーブルデータが示す座標テーブルの一例を示す図解図である。
【図３０】図３０は図６に示すＣＰＵの情報提示処理を示すフロー図である。
【図３１】図３１は図６に示すＣＰＵの非順次表示モード処理を示すフロー図である。
【図３２】図３２は図６に示すＣＰＵの個別進捗度表示処理の一部を示すフロー図である。
【図３３】図３３は図６に示すＣＰＵの個別進捗度表示処理の他の一部であって、図３２に後続するフロー図である。
【図３４】図３４は図６に示すＣＰＵの図形の描画処理を示すフロー図である。
【図３５】図３５は図３４に示すステップＳ１１５の処理による判断を詳細に説明する図解図である。
【図３６】図３６は図６に示すＣＰＵの全体進捗度表示処理を示すフロー図である。
【図３７】図３７は図６に示すＣＰＵの円の描画処理を示すフロー図である。
【図３８】図３８は図６に示すＣＰＵの順次表示モード処理を示すフロー図である。
【図３９】図３９は図６に示すＣＰＵの個別進捗度表示処理の一部を示すフロー図である。
【図４０】図４０は図６に示すＣＰＵの個別進捗度表示処理の他の一部であって、図３９に後続するフロー図である。
【図４１】図４１は図１に示す看護師端末に表示される図形を描画する第２の手順の一部を示す図解図である。
【図４２】図４２は図１に示す看護師端末に表示される図形を描画する第２の手順の他の一部を示す図解図である。
【図４３】図４３は図１に示す看護師端末に表示される図形を描画する第２の手順のその他の一部を示す図解図である。
【図４４】図４４は図１に示す看護師端末に表示される図形を描画する第３の手順の一部を示す図解図である。
【図４５】図４５は図１に示す看護師端末に表示される図形を描画する第３の手順の他の一部を示す図解図である。
【図４６】図４６は図１に示す看護師端末に表示される図形を描画する第３の手順のその他の一部を示す図解図である。
【図４７】図４７は図１に示す看護師端末のＬＣＤに表示される情報提示画面の第５の例を示す図解図である。
【符号の説明】
【０３０５】
１０  …知識共有システム
１２  …サーバ
１６  …看護師用端末
１８  …通過センサ
２０  …中継器
２２  …モニタ装置
２４，２６，２８，３０，３２，３４  …データベース
４０，７０，９０  …ＣＰＵ
４２，９２  …メモリ
４４  …キースイッチ
４８  …ＬＣＤ
５４，７８，１０２  …無線ＬＡＮ
７２，７４  …受光モジュール
７６  …ＲＡＭ
９６  …ピンマイク
９８  …非接触センサ
１００  …加速度センサ
１０２  …送信機
【図１】
2009230535.tif 000004
【図２】
2009230535.tif 000005
【図３】
2009230535.tif 000006
【図４】
2009230535.tif 000007
【図５】
2009230535.tif 000008
【図６】
2009230535.tif 000009
【図７】
2009230535.tif 000010
【図８】
2009230535.tif 000011
【図９】
2009230535.tif 000012
【図１０】
2009230535.tif 000013
【図１１】
2009230535.tif 000014
【図１２】
2009230535.tif 000015
【図１３】
2009230535.tif 000016
【図１４】
2009230535.tif 000017
【図１５】
2009230535.tif 000018
【図１６】
2009230535.tif 000019
【図１７】
2009230535.tif 000020
【図１８】
2009230535.tif 000021
【図１９】
2009230535.tif 000022
【図２０】
2009230535.tif 000023
【図２１】
2009230535.tif 000024
【図２２】
2009230535.tif 000025
【図２３】
2009230535.tif 000026
【図２４】
2009230535.tif 000027
【図２５】
2009230535.tif 000028
【図２６】
2009230535.tif 000029
【図２７】
2009230535.tif 000030
【図２８】
2009230535.tif 000031
【図２９】
2009230535.tif 000032
【図３０】
2009230535.tif 000033
【図３１】
2009230535.tif 000034
【図３２】
2009230535.tif 000035
【図３３】
2009230535.tif 000036
【図３４】
2009230535.tif 000037
【図３５】
2009230535.tif 000038
【図３６】
2009230535.tif 000039
【図３７】
2009230535.tif 000040
【図３８】
2009230535.tif 000041
【図３９】
2009230535.tif 000042
【図４０】
2009230535.tif 000043
【図４１】
2009230535.tif 000044
【図４２】
2009230535.tif 000045
【図４３】
2009230535.tif 000046
【図４４】
2009230535.tif 000047
【図４５】
2009230535.tif 000048
【図４６】
2009230535.tif 000049
【図４７】
2009230535.tif 000050